(57)【要約】  本発明は、タッチパネル及びこれを備える入力装置を提供する。  本発明のタッチパネルは、第１方向に配置され、第２方向に伸張する複数個の第１タッチパッドを備え、前記第１方向に配置される複数個の第１タッチパッドグループを備え、前記複数個の第１タッチパッドグループのそれぞれの同一位置に配置されている前記第１タッチパッドは複数個の第１チャネルのうちの１つに対応する第１チャネルに共通に接続され、前記複数個の第１タッチパッドグループのそれぞれの前記複数個の第１タッチパッドのうちの１つずつの第１タッチパッドに第１入力信号が印加され、前記第１入力信号が印加される第１タッチパッドのそれぞれは互いに異なる前記第１チャネルに接続されていることを特徴とする。
2012508415.tif 000002
【特許請求の範囲】
【請求項１】
第１方向に配置され、第２方向に伸張する複数個の第１タッチパッドを備え、前記第１方向に配置される複数個の第１タッチパッドグループを備え、
前記複数個の第１タッチパッドグループのそれぞれの同一位置に配置された前記第１タッチパッドは、複数個の第１チャネルのうちの１つに対応する第１チャネルに共通に接続され、
前記複数個の第１タッチパッドグループのそれぞれの前記複数個の第１タッチパッドのうちの１つずつの第１タッチパッドに第１入力信号が印加され、
前記第１入力信号が印加された第１タッチパッドのそれぞれは互いに異なる前記第１チャネルに接続されることを特徴とするタッチパネル。
【請求項２】
前記タッチパネルは、
前記第２方向に配置され、前記第１方向に伸張する複数個の第２タッチパッドを備え、前記第２方向に配置される複数個の第２タッチパッドグループをさらに備え、
前記複数個の第２タッチパッドグループのそれぞれの同一位置に配置された前記第２タッチパッドは、複数個の第２チャネルのうちの１つに対応する第２チャネルに共通に接続され、前記複数個の第２タッチパッドグループのそれぞれの前記複数個の第２タッチパッドのうちの１つずつの第２タッチパッドに第２入力信号が印加され、前記第２入力信号が印加される第２タッチパッドのそれぞれは互いに異なる前記第２チャネルに接続されることを特徴とする請求項１に記載のタッチパネル。
【請求項３】
前記タッチパネルは、
前記複数個の第１タッチパッドのうちの前記第１入力信号が印加される第１タッチパッドを除いた第１タッチパッドに第２入力信号が印加されることを特徴とする請求項１に記載のタッチパネル。
【請求項４】
前記タッチパネルは、
前記第２方向に配置され、前記第１方向に伸張する複数個の第２タッチパッドを備え、前記第２方向に配置される複数個の第２タッチパッドグループをさらに備え、
前記複数個の第２タッチパッドグループのそれぞれの前記複数個の第２タッチパッドのうちの１つずつの第２タッチパッドに第３入力信号が印加され、前記複数個の第２タッチパッドのうちの前記第３入力信号が印加される第２タッチパッドを除いた第２タッチパッドに第４入力信号が印加され、前記複数個の第２タッチパッドグループのそれぞれの同一位置に配置された前記第２タッチパッドは、複数個の第２チャネルのうちの１つに対応する第２チャネルに共通に接続され、前記第３入力信号が印加された第２タッチパッドのそれぞれは互いに異なる前記第２チャネルに接続されることを特徴とする請求項３に記載のタッチパネル。
【請求項５】
第１方向に配置され、第２方向に伸張する複数個の第１電極と、
前記複数個の第１電極のそれぞれとの間に配置され、前記第２方向に伸張する複数個の第２電極と、
を備えて、
前記複数個の第２電極のそれぞれは、前記第２方向に配置された複数個のタッチパッド及び前記複数個のタッチパッドのそれぞれを接続する複数個の接続パッドを備え、
前記複数個の第１電極のそれぞれの一端は、第１接続線に接続され、
前記第１接続線は第１送信チャネルと第１受信チャネルとの間に接続され、
前記複数個の第２電極のそれぞれの一端は第２送信チャネルに接続され、他端は第２受信チャネルに接続されることを特徴とするタッチパネル。
【請求項６】
前記タッチパネルにおいて、
前記複数個の第２電極のそれぞれの一端は第２送信接続線に接続され、他端は第２受信接続線に接続され、
前記第２送信接続線は前記第２送信チャネルに接続され、
前記第２受信接続線は前記第２受信チャネルに接続されていることを特徴とする請求項５に記載のタッチパネル。
【請求項７】
前記第２送信接続線及び前記第２受信接続線は、
高い伝導性を有する物質で形成されていることを特徴とする請求項６に記載のタッチパネル。
【請求項８】
前記タッチパネルにおいて、
前記第２送信チャネルは第２奇数送信チャネル及び第２偶数送信チャネルで構成され、
前記第２受信チャネルは第２奇数受信チャネル及び第２偶数受信チャネルで構成され、
前記複数個の第２電極のうちの奇数番目の第２電極のそれぞれの一端は第２奇数送信接続線に接続されて、他端は第２奇数受信接続線に接続されて、
前記複数個の第２電極のうちの偶数番目の第２電極のそれぞれの一端は第２偶数送信接続線に接続され、他端は第２偶数受信接続線に接続され、
前記第２奇数送信接続線は前記第２奇数送信チャネルに接続され、
前記第２奇数受信接続線は前記第２奇数受信チャネルに接続され、
前記第２偶数送信接続線は前記第２偶数送信チャネルに接続され、
前記第２偶数受信接続線は前記第２偶数受信チャネルに接続されていることを特徴とする請求項５に記載のタッチパネル。
【請求項９】
前記タッチパネルは、
前記第２奇数送信接続線、前記第２偶数送信接続線、前記第２奇数受信接続線、及び前記第２偶数受信接続線が高い伝導性を有する物質で形成されることを特徴とする請求項８に記載のタッチパネル。
【請求項１０】
前記タッチパネルにおいて、
前記第２送信チャネル及び前記第２受信チャネルのそれぞれは複数個で構成され、
前記複数個の第２電極のそれぞれの一端は前記複数個の第２送信チャネルのうちの該当する第２送信チャネルに接続され、他端は前記複数個の第２受信チャネルのうちの該当する第２受信チャネルに接続されていることを特徴とする請求項５に記載のタッチパネル。
【請求項１１】
前記第１接続線は、
前記第１電極よりも大きい抵抗値を有することを特徴とする請求項５乃至請求項１０のうちのいずれか１項に記載のタッチパネル。
【請求項１２】
第１方向に配置され、それぞれが第２方向に伸張する複数個の第１タッチパッドと、前記第１方向に配置されてそれぞれが前記第２方向に伸張する複数個の第２タッチパッドとを備え、前記第１方向に前記複数個の第１タッチパッドのそれぞれに隣接して配置される複数個の第１タッチパッドグループを備え、前記複数個の第１タッチパッドのそれぞれは複数個の第１チャネルのうちの該当する第１チャネルに接続され、前記複数個の第１タッチパッドグループのそれぞれの同一位置に配置された前記第２タッチパッドは複数個の第２チャネルのうちの１つに対応する第２チャネルに共通に接続されるタッチパネルと、
第１検索モード動作時に前記複数個の第１チャネルを介して前記複数個の第１タッチパッドのそれぞれのタッチ可否を検知してタッチされた前記第１タッチパッドグループを示す複数個の第１タッチ信号を出力し、第２検索モード動作時に前記複数個の第２チャネルを介して前記複数個の第２タッチパッドのタッチ可否を検知して前記第１タッチパッドグループ内にタッチされた位置を示す複数個の第２タッチ信号を出力するタッチセンサ部と、
を備えることを特徴とする入力装置。
【請求項１３】
前記タッチパネルにおいて、
前記複数個の第１タッチパッドグループのそれぞれは前記複数個の第１タッチパッドのそれぞれの一側面に配置されていることを特徴とする請求項１２に記載の入力装置。
【請求項１４】
前記タッチパネルは、
前記複数個の第１タッチパッドグループのそれぞれの内部に前記複数個の第１タッチパッドのうちの該当する第１タッチパッドが配置されることを特徴とする請求項１２に記載の入力装置。
【請求項１５】
前記タッチセンサ部は、
前記第１検索モードと前記第２検索モードとを順に実行することを特徴とする請求項１２に記載の入力装置。
【請求項１６】
前記タッチセンサ部は、
前記第１検索モードと前記第２検索モードとを同時に実行することを特徴とする請求項１２に記載の入力装置。
【請求項１７】
前記タッチセンサ部は、
前記複数個の第１チャネルに接続され、前記第１検索モード動作時に前記第１タッチパッドのタッチ可否を検知して前記第１タッチ信号を出力する第１タッチセンサ部と、
前記複数個の第２チャネルに接続され、前記第２検索モード動作時に前記第２タッチパッドのタッチ可否を検知して前記第２タッチ信号を出力する第２タッチセンサ部と、
を備えることを特徴とする請求項１２に記載の入力装置。
【請求項１８】
前記第１タッチセンサ部及び前記第２タッチセンサ部のそれぞれは、
タッチ可否によって可変される前記第１タッチパッド及び前記第２タッチパッドのそれぞれのインピーダンスを検出してタッチ可否を判断することを特徴とする請求項１７に記載の入力装置。
【請求項１９】
前記第１タッチセンサ部は、
前記複数個の第１タッチパッドのうちの最も低いインピーダンスを有する前記第１タッチパッドのみにタッチされた状態で表示される前記第１タッチ信号を出力することを特徴とする請求項１８に記載の入力装置。
【請求項２０】
前記第１タッチセンサ部は、
第１入力信号を発生する第１入力信号発生部と、
前記第１入力信号を入力し、前記複数個の第１チャネルのそれぞれに接続されて前記第１タッチパッドのそれぞれがタッチされているか否かによって前記第１入力信号を遅延させて複数個の第１検知信号のうちの該当する第１検知信号をそれぞれ出力する複数個の第１検知信号発生部と、
前記第１入力信号を入力して第１基準信号を出力する第１基準信号発生部と、
前記複数個の第１検知信号のうちの該当する第１検知信号と前記第１基準信号との遅延時間差を検出してタッチ可否を判断し、前記複数個の第１タッチ信号のうちの該当する前記第１タッチ信号をそれぞれ出力する複数個の第１接触信号発生部と、
を備えることを特徴とする請求項１７に記載の入力装置。
【請求項２１】
前記第１タッチセンサ部は、
前記複数個の第１検知信号のうちの前記第１基準信号との遅延時間差が最も大きい前記第１検知信号に対応する前記第１タッチパッドのみにタッチされた状態で表示される前記複数個の第１タッチ信号を出力することを特徴とする請求項２０に記載の入力装置。
【請求項２２】
前記第２タッチセンサ部は、
第２入力信号を発生する第２入力信号発生部と、
前記第２入力信号を入力し、前記複数個の第２チャネルのそれぞれに接続されて前記第２タッチパッドのそれぞれがタッチされているか否かによって前記第２入力信号を遅延させて複数個の第２検知信号のうちの該当する第２検知信号をそれぞれ出力する複数個の第２検知信号発生部と、
前記第２入力信号を入力して第２基準信号を出力する第２基準信号発生部と、
前記複数個の第２検知信号のうちの該当する第２検知信号と前記第２基準信号との遅延時間差を検出してタッチ可否を判断し、前記複数個の第２タッチ信号のうちの該当する前記第２タッチ信号をそれぞれ出力する複数個の第２接触信号発生部と、
を備えることを特徴とする請求項２０に記載の入力装置。
【請求項２３】
前記入力装置は、
前記複数個の第１タッチ信号と前記複数個の第２タッチ信号を入力してタッチ位置を計算し、前記タッチ位置に対応する座標コードを出力する計算部をさらに備えることを特徴とする請求項１２に記載の入力装置。
【請求項２４】
前記計算部は、
前記タッチ位置が複数個の場合、前記複数個のタッチ位置の中心位置を計算し、前記中心位置に対応する前記座標コードを出力することを特徴とする請求項２３に記載の入力装置。
【請求項２５】
前記入力装置は、
前記第２タッチ信号を連続的に入力し、連続的に入力された前記第２タッチ信号を比較して移動方向を検出してスクロール情報を出力する計算部をさらに備えることを特徴とする請求項１２に記載の入力装置。
【請求項２６】
前記タッチパネルは、
前記第２方向に配置され、それぞれが前記第１方向に伸張する複数個の第３タッチパッドと、
前記第２方向に配置され、それぞれが前記第１方向に伸張する複数個の第４タッチパッドを備え、前記第２方向に前記複数個の第３タッチパッドのそれぞれに隣接して配置される複数個の第２タッチパッドグループと、をさらに備え、
前記複数個の第３タッチパッドのそれぞれは複数個の第３チャネルのうちの該当する第３チャネルに接続され、前記複数個の第２タッチパッドグループのそれぞれの同一位置に配置された前記第４タッチパッドは複数個の第４チャネルのうちの１つに対応する第４チャネルに共通に接続されていることを特徴とする請求項１２乃至請求項２２のうちのいずれか１項に記載の入力装置。
【請求項２７】
前記タッチパネルは、
前記複数個の第２タッチパッドグループのそれぞれが前記複数個の第３タッチパッドのそれぞれの一側面に配置されていることを特徴とする請求項２６に記載の入力装置。
【請求項２８】
前記タッチパネルは、
前記複数個の第２タッチパッドグループのそれぞれの内部に前記複数個の第３タッチパッドのうちの該当する第３タッチパッドが配置されていることを特徴とする請求項２６に記載の入力装置。
【請求項２９】
前記タッチセンサ部は、
前記第１検索モード動作時に前記複数個の第３チャネルを介して前記複数個の第３タッチパッドのそれぞれのタッチ可否をさらに検知してタッチされた前記第２タッチパッドグループを示す複数個の第３タッチ信号をさらに出力し、前記第２検索モード動作時に前記複数個の第４チャネルを介して前記複数個の第４タッチパッドのタッチ可否をさらに検知して前記第２タッチパッドグループ内にタッチされた位置を示す複数個の第４タッチ信号をさらに出力することを特徴とする請求項２６に記載の入力装置。
【請求項３０】
前記入力装置は、
前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする請求項２９に記載の入力装置。
【請求項３１】
前記タッチセンサ部は、
前記第１検索モード動作時に前記複数個の第３チャネルのそれぞれを介して前記第３タッチパッドのそれぞれのタッチ可否を検知してタッチされた前記第２タッチパッドグループを示す複数個の第３タッチ信号を出力する第３タッチセンサ部と、
前記第２検索モード動作時に前記複数個の第４チャネルを介して前記複数個の第４タッチパッドのタッチ可否を検知して前記第２タッチパッドグループ内にタッチされた位置を示す複数個の第４タッチ信号を出力する第４タッチセンサ部と、
をさらに備えることを特徴とする請求項２６に記載の入力装置。
【請求項３２】
前記入力装置は、
前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする請求項３１に記載の入力装置。
【請求項３３】
第１方向に配置され、第２方向に伸張する複数個の第１タッチパッドを備え、前記第１方向に配置される複数個の第１タッチパッドグループを備え、前記複数個の第１タッチパッドグループのそれぞれの同一位置に配置された前記第１タッチパッドは複数個の第１チャネルのうちの１つに対応する第１チャネルに共通に接続され、前記複数個の第１タッチパッドグループのそれぞれの前記複数個の第１タッチパッドのうちの１つずつの第１タッチパッドに第１入力信号が印加され、前記第１入力信号が印加される第１タッチパッドのそれぞれは互いに異なる前記第１チャネルに接続されるタッチパネルと、
第１検索モード動作時に前記第１入力信号を前記タッチパネルに出力し、前記複数個の第１チャネルを介して前記第１入力信号が印加される第１タッチパッドのそれぞれのタッチ可否を検知してタッチされた前記第１タッチパッドグループを示す第１タッチ信号を出力し、第２検索モード動作時に前記複数個の第１チャネルを介して前記複数個の第１タッチパッドのタッチ可否を検知して前記第１タッチパッドグループ内にタッチされた位置を示す第２タッチ信号を出力するタッチセンサ部と、
を備えることを特徴とする入力装置。
【請求項３４】
前記タッチセンサ部は、
前記第１検索モード動作時に前記第１入力信号を出力し、前記第１チャネルを介して前記第１入力信号が印加される第１タッチパッドのタッチ可否を検知して前記第１タッチ信号を出力する第１タッチセンサ部と、
前記第２検索モード動作時に前記第１チャネルを介して前記複数個の第１タッチパッドのタッチ可否を検知して前記第２タッチ信号を出力する第２タッチセンサ部と、
を備えることを特徴とする請求項３３に記載の入力装置。
【請求項３５】
前記第２タッチセンサ部は、
タッチ可否によって可変される前記第１タッチパッドのそれぞれのインピーダンスを検出してタッチ可否を判断することを特徴とする請求項３４に記載の入力装置。
【請求項３６】
前記第１タッチセンサ部は、
前記第１入力信号を出力する第１入力信号発生部と、
前記第１入力信号及び前記複数個の第１チャネルのそれぞれを介して入力される複数個の第１遅延信号のうちの該当する第１遅延信号を入力し、前記第１入力信号及び前記該当する第１遅延信号の遅延時間差を検出してタッチ可否を判断し、前記複数個の第１タッチ信号のうちの該当する第１タッチ信号を出力する複数個の第１接触信号発生部と、
を備えることを特徴とする請求項３４に記載の入力装置。
【請求項３７】
前記第１タッチセンサ部は、
前記複数個の第１遅延信号のうちの前記第１入力信号との遅延時間差が最も大きい第１遅延信号に対応する第１タッチパッドのみにタッチされた状態で表示される前記複数個の第１タッチ信号を出力することを特徴とする請求項３６に記載の入力装置。
【請求項３８】
前記複数個の第１接触信号発生部のそれぞれは、
前記該当する第１遅延信号を入力し、前記該当する第１遅延信号のレベルを検知してパルス遅延信号を出力する遅延信号検出部と、
前記第１入力信号と前記パルス遅延信号を入力し、前記第１入力信号と前記パルス遅延信号との遅延時間差を検出して対応する前記第１タッチパッドのタッチ可否を判断し、前記複数個の第１タッチ信号のうちの該当する第１タッチ信号を出力する比較部と、
を備えることを特徴とする請求項３６に記載の入力装置。
【請求項３９】
前記第２タッチセンサ部は、
第２入力信号を発生する第２入力信号発生部と、
前記第２入力信号を入力し、前記複数個の第１チャネルのそれぞれに接続され、前記複数個の第１タッチパッドのそれぞれがタッチされているか否かによって前記第２入力信号を遅延させて複数個の第２検知信号のうちの該当する第２検知信号をそれぞれ出力する複数個の第２検知信号発生部と、
前記第２入力信号を入力して第２基準信号を出力する第２基準信号発生部と、
前記複数個の第２検知信号のうちの該当する第２検知信号と前記第２基準信号との遅延時間差を検出してタッチ可否を判断し、前記複数個の第２タッチ信号のうちの該当する第２タッチ信号をそれぞれ出力する複数個の第２接触信号発生部と、
を備えることを特徴とする請求項３４に記載の入力装置。
【請求項４０】
前記タッチセンサ部は、
前記第１検索モード動作時に前記第１タッチセンサ部を動作させ、前記第２検索モード動作時に前記第２タッチセンサ部を動作させる制御信号を出力する制御部をさらに備えることを特徴とする請求項３４に記載の入力装置。
【請求項４１】
前記入力装置は、
前記複数個の第１タッチ信号と前記複数個の第２タッチ信号を入力してタッチ位置を計算し、前記タッチ位置に対応する座標コードを出力する計算部をさらに備えることを特徴とする請求項３３に記載の入力装置。
【請求項４２】
前記計算部は、
前記タッチ位置が複数個の場合前記複数個のタッチ位置の中心位置を計算し、前記中心位置に対応する前記座標コードを出力することを特徴とする請求項４１に記載の入力装置。
【請求項４３】
前記入力装置は、
前記第２タッチ信号を連続的に入力し、連続的に入力された前記第２タッチ信号を比較して移動方向を検出してスクロール情報を出力する計算部をさらに備えることを特徴とする請求項３３に記載の入力装置。
【請求項４４】
前記タッチパネルは、
前記第２方向に配置され、前記第１方向に伸張する複数個の第２タッチパッドを備え、前記第２方向に配置される複数個の第２タッチパッドグループをさらに備え、
前記複数個の第２タッチパッドグループのそれぞれの同一位置に配置された前記第２タッチパッドは複数個の第２チャネルのうちの１つに対応する第２チャネルに共通に接続され、前記複数個の第２タッチパッドグループのそれぞれの前記複数個の第２タッチパッドのうちの１つずつの第２タッチパッドに第３入力信号が印加され、前記第３入力信号が印加される第２タッチパッドのそれぞれは互いに異なる前記第２チャネルに接続されていることを特徴とする請求項３３乃至請求項４０のうちのいずれか１項に記載の入力装置。
【請求項４５】
前記タッチセンサ部は、
前記第１検索モード動作時に前記第３入力信号を前記タッチパネルにさらに出力し、前記複数個の第２チャネルを介して前記第３入力信号が印加される第２タッチパッドのタッチ可否をさらに検知してタッチされた前記第２タッチパッドグループを示す第３タッチ信号をさらに出力し、
前記第２検索モード動作時に前記複数個の第２チャネルを介して前記複数個の第２タッチパッドのタッチ可否を検知して前記第２タッチパッドグループ内にタッチされた位置を示す第４タッチ信号を出力するタッチセンサ部を備えることを特徴とする請求項４４に記載の入力装置。
【請求項４６】
前記入力装置は、
前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする請求項４５に記載の入力装置。
【請求項４７】
前記タッチセンサ部は、
前記第１検索モード動作時に前記第３入力信号を出力し、前記第２チャネルを介して前記複数個の第２タッチパッドのうちの前記第３入力信号が印加される第２タッチパッドのそれぞれのタッチ可否を検知してタッチされた前記第２タッチパッドグループを示す複数個の第３タッチ信号を出力する第３タッチセンサ部と、
前記第２検索モード動作時に前記第２チャネルを介して前記複数個の第２タッチパッドのタッチ可否を検知して前記第２タッチパッドグループ内にタッチされた位置を示す複数個の第４タッチ信号を出力する第４タッチセンサ部と、
をさらに備えることを特徴とする請求項４４に記載の入力装置。
【請求項４８】
前記入力装置は、
前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする請求項４７に記載の入力装置。
【請求項４９】
前記入力装置は、
前記タッチパネルの前記複数個の第１タッチパッドのうちの前記第１入力信号が印加される第１タッチパッドを除いた第１タッチパッドに第２入力信号が印加され、
前記タッチセンサ部は前記第２検索モード動作時に前記第１入力信号及び前記第２入力信号を出力し、前記第１チャネルを介して前記複数個の第１タッチパッドのそれぞれのタッチ可否を判断して前記第２タッチ信号を出力することを特徴とする請求項３３に記載の入力装置。
【請求項５０】
前記タッチセンサ部は、
入力信号を出力する入力信号発生部と、
前記入力信号を入力し、前記第１検索モード動作時に前記入力信号を前記第１入力信号に出力し、前記第２検索モード動作時に前記入力信号を前記第１入力信号及び前記第２入力信号に出力し、制御信号を出力する制御部と、
前記複数個の第１チャネルのそれぞれに接続され、前記入力信号及び前記複数個の第１チャネルを介して入力される複数個の遅延信号のうちの該当する遅延信号を入力して前記入力信号と前記該当する遅延信号との遅延時間差を検出してタッチ可否を判断し、複数個のタッチ信号のうちの該当するタッチ信号を出力する複数個の接触信号発生部と、
前記複数個のタッチ信号を入力し、前記制御信号に応答して前記第１検索モード動作時に前記タッチ信号を前記第１タッチ信号に出力し、前記第２検索モード動作時に前記タッチ信号を前記第２タッチ信号に出力する出力部と、
を備えることを特徴とする請求項４９に記載の入力装置。
【請求項５１】
前記タッチセンサ部は、
前記第１検索モード動作時に前記複数個の遅延信号のうちの前記入力信号との遅延時間差が最も大きい前記遅延信号に対応する前記第１タッチパッドのみにタッチされた状態で表示される前記第１タッチ信号を出力することを特徴とする請求項５０に記載の入力装置。
【請求項５２】
前記複数個の接触信号発生部のそれぞれは、
前記複数個の遅延信号のうちの該当する遅延信号を入力してレベルを検知してパルス遅延信号を出力する遅延信号検出部と、
前記入力信号と前記パルス遅延信号を入力し、前記入力信号と前記パルス遅延信号との遅延時間差を検出して対応する前記第１タッチパッドのタッチ可否を判断し、前記複数個のタッチ信号のうちの該当するタッチ信号を出力する比較部と、
を備えることを特徴とする請求項５０に記載の入力装置。
【請求項５３】
前記入力装置は、
前記複数個の第１タッチ信号と前記複数個の第２タッチ信号を入力してタッチ位置を計算し、前記タッチ位置に対応する座標コードを出力する計算部をさらに備えることを特徴とする請求項４９に記載の入力装置。
【請求項５４】
前記計算部は、
前記タッチ位置が複数個の場合前記複数個のタッチ位置の中心位置を計算し、前記中心位置に対応する前記座標コードを出力することを特徴とする請求項５３に記載の入力装置。
【請求項５５】
前記入力装置は、
前記第２タッチ信号を連続的に入力し、連続的に入力された前記第２タッチ信号を比較して移動方向を検出してスクロール情報を出力する計算部をさらに備えることを特徴とする請求項４９に記載の入力装置。
【請求項５６】
前記タッチパネルは、
前記第２方向に配置され、前記第１方向に伸張する複数個の第２タッチパッドを備え、前記第２方向に配置される複数個の第２タッチパッドグループをさらに備え、
前記複数個の第２タッチパッドグループのそれぞれの前記複数個の第２タッチパッドのうちの１つずつの第２タッチパッドに第３入力信号が印加され、前記複数個の第２タッチパッドのうちの前記第３入力信号が印加される第２タッチパッドを除いた第２タッチパッドに第４入力信号が印加され、前記複数個の第２タッチパッドグループのそれぞれの同一位置に配置された前記第２タッチパッドは複数個の第２チャネルのうちの１つに対応する第２チャネルに共通に接続され、前記第３入力信号が印加される第２タッチパッドのそれぞれは互いに異なる前記第２チャネルに接続されていることを特徴とする請求項４９乃至請求項５２のうちのいずれか１項に記載の入力装置。
【請求項５７】
前記タッチセンサ部は、
前記第１検索モード動作時に前記第３入力信号を前記タッチパネルにさらに出力し、前記複数個の第２チャネルを介して前記第３入力信号が印加される第２タッチパッドのそれぞれのタッチ可否をさらに検知してタッチされた前記第２タッチパッドグループを示す複数個の第３タッチ信号をさらに出力し、前記第２検索モード動作時に前記第３入力信号及び前記第４入力信号を前記タッチパネルにさらに出力し、前記第２チャネルを介して前記複数個の第２タッチパッドのタッチ可否をさらに検知して前記第２タッチパッドグループ内にタッチされた位置を示す複数個の第４タッチ信号をさらに出力することを特徴とする請求項５６に記載の入力装置。
【請求項５８】
前記入力装置は、
前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする請求項５７に記載の入力装置。
【請求項５９】
前記タッチセンサ部は、
前記第１検索モード動作時に前記第３入力信号を出力し、前記第２チャネルを介して前記複数個の第２タッチパッドのうちの前記第３入力信号が印加される第２タッチパッドのそれぞれのタッチ可否を検知してタッチされた前記第２タッチパッドグループを示す複数個の第３タッチ信号を出力し、前記第２検索モード動作時に前記第３入力信号及び前記第４入力信号を出力し、前記第２チャネルを介して前記複数個の第２タッチパッドのそれぞれのタッチ可否を検知して前記第２タッチパッドグループ内にタッチされた位置を示す複数個の第４タッチ信号を出力する第２タッチセンサ部をさらに備えることを特徴とする請求項５６に記載の入力装置。
【請求項６０】
前記入力装置は、
前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする請求項５９に記載の入力装置。
【請求項６１】
第１方向に配置され、第２方向に伸張する複数個の第１電極と、前記複数個の第１電極のそれぞれの間に配置され、前記第２方向に伸張する複数個の第２電極と、を備え、前記複数個の第２電極のそれぞれは前記第２方向に配置された複数個のタッチパッド及び前記複数個のタッチパッドのそれぞれを接続する複数個の接続パッドを備え、前記複数個の第１電極のそれぞれの一端は第１接続線に接続され、前記第１接続線は第１送信チャネルと第１受信チャネルとの間に接続され、前記複数個の第２電極のそれぞれの一端は第２送信チャネルに接続され、他端は第２受信チャネルに接続されるタッチパネルと、
第１検索モード動作時に前記第１送信チャネルを介して第１入力信号を出力し、前記第１入力信号と前記第１受信チャネルを介して入力される第１遅延信号との第１遅延時間差を検出して第１座標を出力する第１タッチセンサ部と、
第２検索モード動作時に前記第２送信チャネルを介して第２入力信号を出力し、前記第２入力信号と前記第２受信チャネルを介して入力される第２遅延信号との第２遅延時間差を検出して第２座標を出力する第２タッチセンサ部と、
を備えることを特徴とする入力装置。
【請求項６２】
前記タッチパネルにおいて、
前記複数個の第２電極のそれぞれの一端は第２送信接続線に接続され、他端は第２受信接続線に接続され、前記第２送信接続線は前記第２送信チャネルに接続され、前記第２受信接続線は前記第２受信チャネルに接続されていることを特徴とする請求項６１に記載の入力装置。
【請求項６３】
前記第２送信接続線及び前記第２受信接続線は、
高い伝導性を有する物質で形成されていることを特徴とする請求項６２に記載の入力装置。
【請求項６４】
前記第１タッチセンサ部は、
前記第１検索モード動作時に前記第１受信チャネルを介して第１追加入力信号を出力し、前記第１送信チャネルを介して入力される第１追加遅延信号を入力し、前記第１追加入力信号と前記第１追加遅延信号との第１追加遅延時間差を検出し、前記第１遅延時間差と前記第１追加遅延時間差を利用して前記第１座標を出力することを特徴とする請求項６２に記載の入力装置。
【請求項６５】
前記第２タッチセンサ部は、
前記第２検索モード動作時に前記第２受信チャネルを介して第２追加入力信号を出力し、前記第２送信チャネルを介して入力される第２追加遅延信号を入力し、前記第２追加入力信号と前記第２追加遅延信号との第２追加遅延時間差を検出し、前記第２遅延時間差と前記第２追加遅延時間差を利用して前記第２座標を出力することを特徴とする請求項６４に記載の入力装置。
【請求項６６】
前記入力装置は、
前記第１検索モード動作と前記第２検索モード動作とを順に実行することを特徴とする請求項６５に記載の入力装置。
【請求項６７】
前記入力装置は、
前記第１検索モード動作と前記第２検索モード動作とを同時に実行することを特徴とする請求項６５に記載の入力装置。
【請求項６８】
前記タッチパネルにおいて、
前記第２送信チャネルは第２奇数送信チャネル及び第２偶数送信チャネルで構成され、前記第２受信チャネルは第２奇数受信チャネル及び第２偶数受信チャネルで構成され、
前記複数個の第２電極のうちの奇数番目の第２電極のそれぞれの一端は第２奇数送信接続線に接続され、他端は第２奇数受信接続線に接続され、前記複数個の第２電極のうちの偶数番目の第２電極のそれぞれの一端は第２偶数送信接続線に接続され、他端は第２偶数受信接続線に接続され、前記第２奇数送信接続線は前記第２奇数送信チャネルに接続され、前記第２奇数受信接続線は前記第２奇数受信チャネルに接続され、前記第２偶数送信接続線は前記第２偶数送信チャネルに接続され、前記第２偶数受信接続線は前記第２偶数受信チャネルに接続されていることを特徴とする請求項６１に記載の入力装置。
【請求項６９】
前記第２奇数送信接続線、前記第２偶数送信接続線、前記第２奇数受信接続線、及び前記第２偶数受信接続線は高い伝導性を有する物質で形成されていることを特徴とする請求項６８に記載の入力装置。
【請求項７０】
前記第２タッチセンサ部は、
前記第２奇数送信チャネルを介して第２奇数入力信号を出力し、前記第２奇数受信チャネルを介して第２奇数遅延入力信号を入力して前記第２奇数入力信号と前記第２奇数遅延入力信号との遅延時間差を検出して第２奇数座標を出力する第２奇数タッチセンサ部と、
前記第２偶数送信チャネルを介して第２偶数入力信号を出力し、前記第２偶数受信チャネルを介して第２偶数遅延入力信号を入力して前記第２偶数入力信号と前記第２偶数遅延入力信号との遅延時間差を検出して第２偶数座標を出力する第２偶数タッチセンサ部と、
前記第２奇数座標と前記第２偶数座標を入力して前記第２奇数座標と前記第２偶数座標との中心位置を前記第２座標に出力する出力部と、
を備えることを特徴とする請求項６８に記載の入力装置。
【請求項７１】
前記タッチパネルにおいて、
前記第２送信チャネル及び前記第２受信チャネルのそれぞれは複数個で構成され、
前記複数個の第２電極のそれぞれの一端は前記複数個の第２送信チャネルのうちの該当する第２送信チャネルに接続され、他端は前記複数個の第２受信チャネルのうちの該当する第２受信チャネルに接続されていることを特徴とする請求項６１に記載の入力装置。
【請求項７２】
前記第２タッチセンサ部は、
前記第２検索モード動作時に前記複数個の第２送信チャネルのうちの前記第１座標に対応する第２送信チャネルを介して前記第２入力信号を出力し、前記複数個の第２受信チャネルのうちの前記第１座標に対応する第２受信チャネルを介して前記第２遅延信号を入力することを特徴とする請求項７１に記載の入力装置。
【請求項７３】
前記第１タッチセンサ部は、
前記第１検索モード動作時に前記第１受信チャネルを介して第１追加入力信号を出力し、前記第１送信チャネルを介して入力される第１追加遅延信号を入力し、前記第１追加入力信号と前記第１追加遅延信号との第１追加遅延時間差を検出し、前記第１遅延時間差と前記第１追加遅延時間差を利用して前記第１座標を出力することを特徴とする請求項７２に記載の入力装置。
【請求項７４】
前記第２タッチセンサ部は、
前記第２検索モード動作時に前記第１座標に対応する第２受信チャネルを介して第２追加入力信号を出力し、前記第１座標に対応する第２送信チャネルを介して入力される第２追加遅延信号を入力し、前記第２追加入力信号と前記第２追加遅延信号との第２追加遅延時間差を検出し、前記第２遅延時間差と前記第２追加遅延時間差を利用して前記第２座標を出力することを特徴とする請求項７２に記載の入力装置。
【請求項７５】
前記第１接続線は、
前記第１電極よりも大きい抵抗値を有することを特徴とする請求項６１乃至請求項７４のうちのいずれか１項に記載の入力装置。
【発明の詳細な説明】
【技術分野】
【０００１】
本発明は、入力装置に関し、特にタッチセンサの数及びチャネルの数を減少させることができるタッチパネル及びこれを備える入力装置（Ｔｏｕｃｈ  ｐａｎｅｌ  ａｎｄ  ｉｎｐｕｔ  ｄｅｖｉｃｅ  ｉｎｃｌｕｄｉｎｇ  ｔｈｅ  ｓａｍｅ）に関する。
【背景技術】
【０００２】
一般に、タッチパネルは、ＣＲＴ、ＬＣＤ、ＰＤＰ、ＥＬ（ｅｌｅｃｔｒｏｌｕｍｉｎｅｓｃｅｎｃｅ）などのようなディスプレイ装置の表面に設けられて接触によりその位置を検出することができる装置であって、コンピュータや携帯用情報端末機のような映像表示装置の画面に設けられていて、キーボードやマウスなしても手やペンによって画面上に情報を入力することができる。すなわち、タッチパネルを備える入力装置は一般に所定のパターンを有する複数個のタッチパッドと複数個のタッチパッドのうちの対応するタッチパッドと接続され、対応するタッチパッドの接触可否を示すタッチ信号を出力する複数個のタッチセンサによって構成されて接触物体が接触する位置を検出することができる。
【０００３】
前記タッチパッドは、ＩＴＯ（インジウム−錫の複合酸化物）フィルムで形成される。ＩＴＯフィルムは、液晶ディスプレイを中心とする表示デバイスの透明電極として広く用いられ、透明な伝導性酸化物の薄膜であり、高い透明度と低い面抵抗及びパターン形成の容易性という長所から液晶表示素子（ＬＣＤ）だけでなく有機発光素子や太陽電池、プラズマディスプレイ、Ｅ−ｐａｐｅｒなどの多様な分野において電極物質として応用されていて、ブラウン管モニタの電磁波遮蔽及びＩＴＯインクに応用されている。
【０００４】
ところが、タッチパネルを備える入力装置は接触位置を検出するための解像度を高めるためには、タッチパッドの数が増加しなければならなく、よって、タッチセンサの数も増加しなければならないという問題点がある。例えば、８０×６０の解像度を得るためには８０個のＸ軸タッチパッドと６０個のＹ軸タッチパッドが必要であり、合計１４０個のタッチセンサが必要である。
【発明の開示】
【発明が解決しようとする課題】
【０００５】
本発明の目的は、小数のタッチセンサを用いて高い解像度を得ることができるタッチパネルを提供することにある。
【０００６】
本発明の他の目的は、前記目的を達成するためのタッチパネルを備える入力装置を提供することにある。
【課題を解決するための手段】
【０００７】
前記目的を達成するための本発明のタッチパネルの第１の態様は、第１方向に配置され、第２方向に伸張する複数個の第１タッチパッドを備え、前記第１方向に配置される複数個の第１タッチパッドグループを備え、前記複数個の第１タッチパッドグループのそれぞれの同一位置に配置された前記第１タッチパッドは複数個の第１チャネルのうちの１つに対応する第１チャネルに共通に接続され、前記複数個の第１タッチパッドグループのそれぞれの前記複数個の第１タッチパッドのうちの１つずつの第１タッチパッドに第１入力信号が印加され、前記第１入力信号が印加される第１タッチパッドのそれぞれは互いに異なる前記第１チャネルに接続されることを特徴とする。
【０００８】
前記目的を達成するための本発明のタッチパネルの第１の態様は、前記第２方向に配置され、前記第１方向に伸張する複数個の第２タッチパッドを備え、前記第２方向に配置される複数個の第２タッチパッドグループをさらに備え、前記複数個の第２タッチパッドグループのそれぞれの同一位置に配置された前記第２タッチパッドは複数個の第２チャネルのうちの１つに対応する第２チャネルに共通に接続され、前記複数個の第２タッチパッドグループのそれぞれの前記複数個の第２タッチパッドのうちの１つずつの第２タッチパッドに第２入力信号が印加され、前記第２入力信号が印加される第２タッチパッドのそれぞれは互いに異なる前記第２チャネルに接続されることを特徴とする。
【０００９】
前記目的を達成するための本発明のタッチパネルの第２の態様は、第１方向に配置され、第２方向に伸張する複数個の第１タッチパッドを備え、前記第１方向に配置される複数個の第１タッチパッドグループを備え、前記複数個の第１タッチパッドグループのそれぞれの同一位置に配置された前記第１タッチパッドは複数個の第１チャネルのうちの１つに対応する第１チャネルに共通に接続され、前記複数個の第１タッチパッドグループのそれぞれの前記複数個の第１タッチパッドのうちの１つずつの第１タッチパッドに第１入力信号が印加され、前記第１入力信号が印加される第１タッチパッドのそれぞれは互いに異なる前記第１チャネルに接続され、前記複数個の第１タッチパッドのうちの前記第１入力信号が印加される第１タッチパッドを除いた第１タッチパッドに第２入力信号が印加されることを特徴とする。
【００１０】
前記目的を達成するための本発明のタッチパネルの第２の態様は、前記第２方向に配置され、前記第１方向に伸張する複数個の第２タッチパッドを備え、前記第２方向に配置される複数個の第２タッチパッドグループをさらに備え、前記複数個の第２タッチパッドグループのそれぞれの前記複数個の第２タッチパッドのうちの１つずつの第２タッチパッドに第３入力信号が印加され、前記複数個の第２タッチパッドのうちの前記第３入力信号が印加される第２タッチパッドを除いた第２タッチパッドに第４入力信号が印加され、前記複数個の第２タッチパッドグループのそれぞれの同一位置に配置された前記第２タッチパッドは複数個の第２チャネルのうちの１つに対応する第２チャネルに共通に接続され、前記第３入力信号が印加される第２タッチパッドのそれぞれは互いに異なる前記第２チャネルに接続されることを特徴とする。
【００１１】
前記目的を達成するための本発明のタッチパネルの第３の態様は、第１方向に配置され、第２方向に伸張する複数個の第１電極、及び前記複数個の第１電極のそれぞれの間に配置され、前記第２方向に伸張する複数個の第２電極を備え、前記複数個の第２電極のそれぞれは前記第２方向に配置された複数個のタッチパッド及び前記複数個のタッチパッドのそれぞれを接続する複数個の接続パッドを備え、前記複数個の第１電極のそれぞれの一端は第１接続線に接続され、前記第１接続線は第１送信チャネルと第１受信チャネルとの間に接続され、前記複数個の第２電極のそれぞれの一端は第２送信チャネルに接続され、他端は第２受信チャネルに接続されることを特徴とする。
【００１２】
前記目的を達成するための本発明のタッチパネルの第３の態様は、前記複数個の第２電極のそれぞれの一端は第２送信接続線に接続され、他端は第２受信接続線に接続され、前記第２送信接続線は前記第２送信チャネルに接続され、前記第２受信接続線は前記第２受信チャネルに接続されるか、または、前記第２送信チャネルは第２奇数送信チャネル及び第２偶数送信チャネルで構成され、前記第２受信チャネルは第２奇数受信チャネル及び第２偶数受信チャネルで構成され、前記複数個の第２電極のうちの奇数番目の第２電極のそれぞれの一端は第２奇数送信接続線に接続されて他端は第２奇数受信接続線に接続され、前記複数個の第２電極のうちの偶数番目の第２電極のそれぞれの一端は第２偶数送信接続線に接続されて他端は第２偶数受信接続線に接続され、前記第２奇数送信接続線は前記第２奇数送信チャネルに接続されて前記第２奇数受信接続線は前記第２奇数受信チャネルに接続され、前記第２偶数送信接続線は前記第２偶数送信チャネルに接続されて前記第２偶数受信接続線は前記第２偶数受信チャネルに接続されるか、または、前記第２送信チャネル及び前記第２受信チャネルのそれぞれは複数個で構成され、前記複数個の第２電極のそれぞれの一端は前記複数個の第２送信チャネルのうちの該当する第２送信チャネルに接続されて他端は前記複数個の第２受信チャネルのうちの該当する第２受信チャネルに接続されることを特徴とする。
【００１３】
前記目的を達成するための本発明のタッチパネルの第３の態様の前記第２送信接続線及び前記第２受信接続線、または前記第２奇数送信接続線、前記第２偶数送信接続線、前記第２奇数受信接続線、及び前記第２偶数受信接続線は高い伝導性を有する物質から形成されることを特徴とする。
【００１４】
前記目的を達成するための本発明のタッチパネルの第３の態様の前記第１接続線は前記第１電極よりも大きい抵抗値を有することを特徴とする。
【００１５】
前記他の目的を達成するための本発明のタッチパネルを備える入力装置の第１の態様は第１方向に配置され、それぞれが第２方向に伸張する複数個の第１タッチパッド、及び前記第１方向に配置されてそれぞれが前記第２方向に伸張する複数個の第２タッチパッドを備え、前記第１方向に前記複数個の第１タッチパッドのそれぞれに隣接して配置される複数個の第１タッチパッドグループを備えて、前記複数個の第１タッチパッドのそれぞれは複数個の第１チャネルのうちの該当する第１チャネルに接続され、前記複数個の第１タッチパッドグループのそれぞれの同一位置に配置された前記第２タッチパッドは複数個の第２チャネルのうちの１つに対応する第２チャネルに共通に接続されるタッチパネルと、第１検索モード動作時に前記複数個の第１チャネルを介して前記複数個の第１タッチパッドのそれぞれのタッチ可否を検知してタッチされた前記第１タッチパッドグループを示す第１タッチ信号を出力し、第２検索モード動作時に前記複数個の第２チャネルを介して前記複数個の第２タッチパッドのタッチ可否を検知してタッチされた前記第２タッチパッドを示す第２タッチ信号を出力するタッチセンサ部と、を備えることを特徴とする。
【００１６】
前記他の目的を達成するための本発明の入力装置の第１の態様の前記タッチパネルは、前記複数個の第１タッチパッドグループのそれぞれが前記複数個の第１タッチパッドのそれぞれの一側面に配置されるか、または前記複数個の第１タッチパッドグループのそれぞれの内部に前記複数個の第１タッチパッドのうちの該当する第１タッチパッドが配置されることを特徴とする。
【００１７】
前記他の目的を達成するための本発明の入力装置の第１の態様の前記タッチセンサ部は、前記第１検索モードと前記第２検索モードを順に実行するか、または前記第１検索モードと前記第２検索モードを同時に実行することを特徴とする。
【００１８】
前記他の目的を達成するための本発明の入力装置の第１の態様の前記タッチセンサ部は、前記複数個の第１チャネルに接続され、前記第１検索モード動作時に前記第１タッチパッドのタッチ可否を検知して前記第１タッチ信号を出力する第１タッチセンサ部と、前記複数個の第２チャネルに接続され、前記第２検索モード動作時に前記第２タッチパッドのタッチ可否を検知して前記第２タッチ信号を出力する第２タッチセンサ部と、を備えることを特徴とする。
【００１９】
前記他の目的を達成するための本発明の入力装置の第１の態様の前記第１タッチセンサ部及び前記第２タッチセンサ部のそれぞれは、タッチ可否によって可変される前記第１タッチパッド及び前記第２タッチパッドのそれぞれのインピーダンスを検出してタッチ可否を判断することを特徴とする。
【００２０】
前記他の目的を達成するための本発明の入力装置の第１の態様の前記タッチセンサ部の前記第１タッチセンサ部は、第１入力信号を発生する第１入力信号発生部と、前記第１入力信号を入力して前記複数個の第１チャネルのそれぞれに接続されて前記第１タッチパッドのそれぞれがタッチされているか否かによって前記第１入力信号を遅延させて複数個の第１検知信号のうちの該当する第１検知信号をそれぞれ出力する複数個の第１検知信号発生部と、前記第１入力信号を入力して第１基準信号を出力する第１基準信号発生部と、前記複数個の第１検知信号のうちの該当する第１検知信号と前記第１基準信号との遅延時間差を検出してタッチ可否を判断し、前記複数個の第１タッチ信号のうちの該当する前記第１タッチ信号をそれぞれ出力する複数個の第１接触信号発生部と、を備えることを特徴とする。
【００２１】
前記他の目的を達成するための本発明の入力装置の第１の態様の前記タッチセンサ部の前記第１タッチセンサ部は、前記複数個の第１タッチパッドのうちの最も高いインピーダンスを有する前記第１タッチパッドのみにタッチされた状態に表示する前記第１タッチ信号を出力するか、または前記複数個の第１検知信号のうちの前記第１基準信号との遅延時間差が最も大きい前記第１検知信号に対応する前記第１タッチパッドのみにタッチされた状態に表示する前記複数個の第１タッチ信号を出力することを特徴とする。
【００２２】
前記他の目的を達成するための本発明の入力装置の第１の態様の前記タッチセンサ部の前記第２タッチセンサ部は、第２入力信号を発生する第２入力信号発生部と、前記第２入力信号を入力して前記複数個の第２チャネルのそれぞれに接続されて前記第２タッチパッドのそれぞれがタッチされているか否かによって前記第２入力信号を遅延させて複数個の第２検知信号のうちの該当する第２検知信号をそれぞれ出力する複数個の第２検知信号発生部と、前記第２入力信号を入力して第２基準信号を出力する第２基準信号発生部と、前記複数個の第２検知信号のうちの該当する第２検知信号と前記第２基準信号との遅延時間差を検出してタッチ可否を判断し、前記複数個の第２タッチ信号のうちの該当する前記第２タッチ信号をそれぞれ出力する複数個の第２接触信号発生部と、を備えることを特徴とする。
【００２３】
前記他の目的を達成するための本発明の入力装置の第１の態様は、前記複数個の第１タッチ信号と前記複数個の第２タッチ信号を入力してタッチ位置を計算し、前記タッチ位置に対応する座標コードを出力するか、または前記第２タッチ信号を連続的に入力し、連続的に入力された前記第２タッチ信号を比較して移動方向を検出してスクロール情報を出力する計算部と、をさらに備えることを特徴とする。
【００２４】
前記他の目的を達成するための本発明の入力装置の第１の態様の前記計算部は、前記タッチ位置が複数個の場合、前記複数個のタッチ位置の中心位置を計算して前記中心位置に対応する前記座標コードを出力することを特徴とする。
【００２５】
前記他の目的を達成するための本発明の入力装置の第１の態様における前記タッチパネルは、前記第２方向に配置されてそれぞれが前記第１方向に伸張する複数個の第３タッチパッドと、前記第２方向に配置されてそれぞれが前記第１方向に伸張する複数個の第４タッチパッドとを備え、前記第２方向に前記複数個の第３タッチパッドのそれぞれに隣接して配置される複数個の第２タッチパッドグループをさらに備え、前記複数個の第３タッチパッドのそれぞれは複数個の第３チャネルのうちの該当する第３チャネルに接続され、前記複数個の第２タッチパッドグループのそれぞれの同一位置に配置された前記第４タッチパッドは複数個の第４チャネルのうちの１つに対応する第４チャネルに共通に接続され、前記タッチセンサ部は前記第１検索モード動作時に前記複数個の第３チャネルを介して前記複数個の第３タッチパッドのそれぞれのタッチ可否をさらに検知してタッチされた前記第２タッチパッドグループを示す複数個の第３タッチ信号をさらに出力し、前記第２検索モード動作時に前記複数個の第４チャネルを介して前記複数個の第４タッチパッドのタッチ可否をさらに検知して前記第２タッチパッドグループ内にタッチされた位置を示す複数個の第４タッチ信号をさらに出力するか、または前記第１検索モード動作時に前記複数個の第３チャネルのそれぞれを介して前記第３タッチパッドのそれぞれのタッチ可否を検知してタッチされた前記第２タッチパッドグループを表示する第３タッチ信号を出力する第３タッチセンサ部と、前記第２検索モード動作時に前記複数個の第４チャネルを介して前記複数個の第４タッチパッドのタッチ可否を検知してタッチされた前記第４タッチパッドを表示する第４タッチ信号を出力する第４タッチセンサ部と、をさらに備えることを特徴とする。
【００２６】
前記他の目的を達成するための本発明の入力装置の第１の態様の前記タッチパネルは、前記複数個の第２タッチパッドグループのそれぞれが前記複数個の第３タッチパッドのそれぞれの一側面に配置されるか、または前記複数個の第２タッチパッドグループのそれぞれの内部に前記複数個の第３タッチパッドのうちの該当する第３タッチパッドが配置されることを特徴とする。
【００２７】
前記他の目的を達成するための本発明の入力装置の第２の態様は、第１方向に配置されて第２方向に伸張する複数個の第１タッチパッドを備え、前記第１方向に配置される複数個の第１タッチパッドグループを備え、前記複数個の第１タッチパッドグループのそれぞれの同一位置に配置された前記第１タッチパッドは複数個の第１チャネルのうちの１つに対応する第１チャネルに共通に接続され、前記複数個の第１タッチパッドグループのそれぞれの前記複数個の第１タッチパッドのうちの１つずつの第１タッチパッドに第１入力信号が印加され、前記第１入力信号が印加される第１タッチパッドのそれぞれは互いに異なる前記第１チャネルに接続されるタッチパネルと、第１検索モード動作時に前記第１入力信号を前記タッチパネルに出力し、前記複数個の第１チャネルを介して前記第１入力信号が印加される第１タッチパッドのそれぞれのタッチ可否を検知してタッチされた前記第１タッチパッドグループを示す第１タッチ信号を出力し、第２検索モード動作時に前記複数個の第１チャネルを介して前記複数個の第１タッチパッドのタッチ可否を検知してタッチされた前記第１タッチパッドを示す第２タッチ信号を出力するタッチセンサ部と、を備えることを特徴とする。
【００２８】
前記他の目的を達成するための本発明の入力装置の第２の態様の前記タッチセンサ部は、前記第１検索モード動作時に前記第１入力信号を出力し、前記第１チャネルを介して前記第１入力信号が印加される第１タッチパッドのタッチ可否を検知して前記第１タッチ信号を出力する第１タッチセンサ部と、前記第２検索モード動作時に前記第１チャネルを介して前記複数個の第１タッチパッドのタッチ可否を検知して前記第２タッチ信号を出力する第２タッチセンサ部と、を備えることを特徴とする。
【００２９】
前記他の目的を達成するための本発明の入力装置の第２の態様の前記第２タッチセンサ部は、タッチ可否によって可変される前記第１タッチパッドのそれぞれのインピーダンスを検出してタッチ可否を判断することを特徴とする。
【００３０】
前記他の目的を達成するための本発明の入力装置の第２の態様の前記第１タッチセンサ部は、前記第１入力信号を出力する第１入力信号発生部と、前記第１入力信号及び前記複数個の第２チャネルのそれぞれを介して入力される複数個の第１遅延信号のうちの該当する第１遅延信号を入力し、前記第１入力信号及び前記該当する第１遅延信号との遅延時間差を検出してタッチ可否を判断し、前記複数個の第１タッチ信号のうちの該当する第１タッチ信号を出力する複数個の第１接触信号発生部と、を備えることを特徴とする。
【００３１】
前記他の目的を達成するための本発明の入力装置の第２の態様の前記第１タッチセンサ部は、前記複数個の第１遅延信号のうちの前記第１入力信号との遅延時間差が最も大きい第１遅延信号に対応する第１タッチパッドのみにタッチされた状態で表示される前記複数個の第１タッチ信号を出力することを特徴とする。
【００３２】
前記他の目的を達成するための本発明の入力装置の第２の態様における前記第１タッチセンサ部の前記複数個の第１接触信号発生部のそれぞれは、前記該当する第１遅延信号を入力し、前記該当する第１遅延信号のレベルを検知してパルス遅延信号を出力する遅延信号検出部と、前記第１入力信号と前記パルス遅延信号を入力し、前記第１入力信号と前記パルス遅延信号との遅延時間差を検出して対応する前記第１タッチパッドのタッチ可否を判断し、前記複数個の第１タッチ信号のうちの該当する第１タッチ信号を出力する比較部と、を備えることを特徴とする。
【００３３】
前記他の目的を達成するための本発明の入力装置の第２の態様における前記第２タッチセンサ部は、第２入力信号を発生する第２入力信号発生部と、前記第２入力信号を入力し、前記複数個の第１チャネルのそれぞれに接続され、前記複数個の第１タッチパッドのそれぞれがタッチされているか否かによって前記第２入力信号を遅延させて複数個の第２検知信号のうちの該当する第２検知信号をそれぞれ出力する複数個の第２検知信号発生部と、前記第２入力信号を入力して第２基準信号を出力する第２基準信号発生部と、前記複数個の第２検知信号のうちの該当する第２検知信号と前記第２基準信号との遅延時間差を検出してタッチ可否を判断し、前記複数個の第２タッチ信号のうちの該当する第２タッチ信号をそれぞれ出力する複数個の第２接触信号発生部と、を備えることを特徴とする。
【００３４】
前記他の目的を達成するための本発明の入力装置の第２の態様における前記タッチセンサ部は、前記第１検索モード動作時に前記第１タッチセンサ部を動作させ、前記第２検索モード動作時に前記第２タッチセンサ部を動作させる制御信号を出力する制御部をさらに備えることを特徴とする。
【００３５】
前記他の目的を達成するための本発明の入力装置の第２の態様は、前記複数個の第１タッチ信号と前記複数個の第２タッチ信号を入力してタッチ位置を計算し、前記タッチ位置に対応する座標コードを出力するか、または前記第２タッチ信号を連続的に入力し、連続的に入力された前記第２タッチ信号を比較して移動方向を検出してスクロール情報を出力する計算部をさらに備えることを特徴とする。
【００３６】
前記他の目的を達成するための本発明の入力装置の第２の態様における前記計算部は、前記タッチ位置が複数個の場合、前記複数個のタッチ位置の中心位置を計算して前記中心位置に対応する前記座標コードを出力することを特徴とする。
【００３７】
前記他の目的を達成するための本発明の入力装置の第２の態様における前記タッチパネルは、前記第２方向に配置されて前記第１方向に伸張する複数個の第２タッチパッドを備え、前記第２方向に配置される複数個の第２タッチパッドグループをさらに備え、前記複数個の第２タッチパッドグループのそれぞれの同一位置に配置された前記第２タッチパッドは複数個の第２チャネルのうちの１つに対応する第２チャネルに共通に接続され、前記複数個の第２タッチパッドグループのそれぞれの前記複数個の第２タッチパッドのうちの１つずつの第２タッチパッドに第３入力信号が印加され、前記第３入力信号が印加される第２タッチパッドのそれぞれは互いに異なる前記第２チャネルに接続され、前記タッチセンサ部は前記第１検索モード動作時に前記第３入力信号を出力して前記第２チャネルを介して前記複数個の第２タッチパッドのうちの前記第３入力信号が印加された第２タッチパッドのそれぞれのタッチ可否を検知してタッチされた前記第２タッチパッドグループを示す複数個の第３タッチ信号を出力する第３タッチセンサ部と、前記第２検索モード動作時に前記第２チャネルを介して前記複数個の第２タッチパッドのそれぞれのタッチ可否を検知してタッチされた前記第２タッチパッドを表示する複数個の第４タッチ信号を出力する第４タッチセンサ部と、をさらに備えることを特徴とする。
【００３８】
前記他の目的を達成するための本発明の入力装置の第３の態様は、第１方向に配置されて第２方向に伸張する複数個の第１タッチパッドを備え、前記第１方向に配置される複数個の第１タッチパッドグループを備え、前記複数個の第１タッチパッドグループのそれぞれの同一位置に配置された前記第１タッチパッドは複数個の第１チャネルのうちの１つに対応する第１チャネルに共通に接続され、前記複数個の第１タッチパッドグループのそれぞれの前記複数個の第１タッチパッドのうちの１つずつの第１タッチパッドに第１入力信号が印加され、前記第１入力信号が印加される第１タッチパッドのそれぞれは互いに異なる前記第１チャネルに接続され、前記タッチパネルの前記複数個の第１タッチパッドのうちの前記第１入力信号が印加された第１タッチパッドを除いた第１タッチパッドに第２入力信号が印加されるタッチパネルと、第１検索モード動作時に前記第１入力信号を前記タッチパネルに出力して前記複数個の第１チャネルを介して前記第１入力信号が印加される第１タッチパッドのそれぞれのタッチ可否を検知してタッチされた前記第１タッチパッドグループを示す第１タッチ信号を出力し、第２検索モード動作時に前記第１入力信号及び前記第２入力信号を出力して前記第１チャネルを介して前記複数個の第１タッチパッドのそれぞれのタッチ可否を判断してタッチされた前記第１タッチパッドを示す第２タッチ信号を出力するタッチセンサ部と、を備えることを特徴とする。
【００３９】
前記他の目的を達成するための本発明の入力装置の第３の態様における前記タッチセンサ部は、入力信号を出力する入力信号発生部と、前記入力信号を入力して前記第１検索モード動作時に前記入力信号を前記第１入力信号に出力し、前記第２検索モード動作時に前記入力信号を前記第１入力信号及び前記第２入力信号に出力して制御信号を出力する制御部と、前記複数個の第１チャネルのそれぞれに接続され、前記入力信号及び前記複数個の第１チャネルを介して入力される複数個の遅延信号のうちの該当する遅延信号を入力して前記入力信号と前記該当する遅延信号との遅延時間差を検出してタッチ可否を判断して複数個のタッチ信号のうちの該当するタッチ信号を出力する複数個の接触信号発生部と、前記複数個のタッチ信号を入力して前記制御信号に応答して前記第１検索モード動作時に前記タッチ信号を前記第１タッチ信号に出力し、前記第２検索モード動作時に前記タッチ信号を前記第２タッチ信号に出力する出力部と、を備えることを特徴とする。
【００４０】
前記他の目的を達成するための本発明の入力装置の第３の態様における前記タッチセンサ部は、前記第１検索モード動作時に前記複数個の遅延信号のうちの前記入力信号との遅延時間差が、最大の前記遅延信号に対応する前記第１タッチパッドのみにタッチされた状態で表示される前記第１タッチ信号を出力することを特徴とする。
【００４１】
前記他の目的を達成するための本発明の入力装置の第３の態様における前記タッチセンサ部の前記複数個の接触信号発生部のそれぞれは、前記複数個の遅延信号のうちの該当する遅延信号を入力してレベルを検知してパルス遅延信号を出力する遅延信号検出部と、前記入力信号と前記パルス遅延信号を入力し、前記入力信号と前記パルス遅延信号との遅延時間差を検出して対応する前記第１タッチパッドのタッチ可否を判断し、前記複数個のタッチ信号のうちの該当するタッチ信号を出力する比較部と、を備えることを特徴とする。
【００４２】
前記他の目的を達成するための本発明の入力装置の第３の態様は、前記複数個の第１タッチ信号と前記複数個の第２タッチ信号を入力してタッチ位置を計算し、前記タッチ位置に対応する座標コードを出力するか、または前記第２タッチ信号を連続的に入力し、連続的に入力された前記第２タッチ信号を比較して移動方向を検出してスクロール情報を出力する計算部をさらに備えることを特徴とする。
【００４３】
前記他の目的を達成するための本発明の入力装置の第３の態様における前記計算部は、前記タッチ位置が複数個の場合、前記複数個のタッチ位置の中心位置を計算して前記中心位置に対応する前記座標コードを出力することを特徴とする。
【００４４】
前記他の目的を達成するための本発明の入力装置の第３の態様における前記タッチパネルは、前記第２方向に配置されて前記第１方向に伸張する複数個の第２タッチパッドを備え、前記第２方向に配置される複数個の第２タッチパッドグループをさらに備え、前記複数個の第２タッチパッドグループのそれぞれの前記複数個の第２タッチパッドのうちの１つずつの第２タッチパッドに第３入力信号が印加され、前記複数個の第２タッチパッドのうちの前記第３入力信号が印加される第２タッチパッドを除いた第２タッチパッドに第４入力信号が印加され、前記複数個の第２タッチパッドグループのそれぞれの同一位置に配置された前記第２タッチパッドは複数個の第２チャネルのうちの１つに対応する第２チャネルに共通に接続され、前記第２入力信号が印加される第２タッチパッドのそれぞれは互いに異なる前記第２チャネルに接続され、前記タッチセンサ部は前記第１検索モード動作時に前記第３入力信号を出力して前記第２チャネルを介して前記複数個の第２タッチパッドのうちの前記第３入力信号が印加される第２タッチパッドのそれぞれのタッチ可否を検知してタッチされた前記第２タッチパッドグループを示す複数個の第３タッチ信号を出力し、前記第２検索モード動作時に前記第３入力信号及び前記第４入力信号を出力して前記第２チャネルを介して前記複数個の第２タッチパッドのそれぞれのタッチ可否を検知して前記第２タッチパッドグループ内にタッチされた位置を示す複数個の第４タッチ信号を出力する第２タッチセンサ部をさらに備えることを特徴とする。
【００４５】
前記他の目的を達成するための本発明の入力装置の第１の態様、第２の態様、及び第３の態様は、前記複数個の第１タッチ信号と前記複数個の第２タッチ信号を入力して前記第１方向のタッチ位置を計算し、前記複数個の第３タッチ信号と前記複数個の第４タッチ信号を入力して前記第２方向のタッチ位置を計算し、前記第１方向のタッチ位置及び前記第２方向のタッチ位置に対応する座標コードを出力する計算部をさらに備えることを特徴とする。
【００４６】
前記他の目的を達成するための本発明の入力装置の第４の態様は、第１方向に配置されて、第２方向に伸張する複数個の第１電極、及び前記複数個の第１電極のそれぞれの間に配置され、前記第２方向に伸張する複数個の第２電極を備え、前記複数個の第２電極のそれぞれは前記第２方向に配置された複数個のタッチパッド及び前記複数個のタッチパッドのそれぞれを接続する複数個の接続パッドを備え、前記複数個の第１電極のそれぞれの一端は第１接続線に接続され、前記第１接続線は第１送信チャネルと第１受信チャネルとの間に接続され、前記複数個の第２電極のそれぞれの一端は第２送信チャネルに接続され、他端は第２受信チャネルに接続されるタッチパネルと、第１検索モード動作時に前記第１送信チャネルを介して第１入力信号を出力し、前記第１入力信号と前記第１受信チャネルを介して入力される第１遅延信号の第１遅延時間差を検出して第１座標を出力する第１タッチセンサ部と、第２検索モード動作時に前記第２送信チャネルを介して第２入力信号を出力し、前記第２入力信号と前記第２受信チャネルを介して入力される第２遅延信号の第２遅延時間差を検出して第２座標を出力する第２タッチセンサ部と、を備えることを特徴とする。
【００４７】
前記他の目的を達成するための本発明の入力装置の第４の態様の前記タッチパネルの第１の態様における前記複数個の第２電極のそれぞれの一端は第２送信接続線に接続され、他端は第２受信接続線に接続され、前記第２送信接続線は前記第２送信チャネルに接続され、前記第２受信接続線は前記第２受信チャネルに接続されることを特徴とし、第２の態様における前記第２送信チャネルは第２奇数送信チャネル及び第２偶数送信チャネルで構成され、前記第２受信チャネルは第２奇数受信チャネル及び第２偶数受信チャネルで構成され、前記複数個の第２電極のうちの奇数番目の第２電極のそれぞれの一端は第２奇数送信接続線に接続され、他端は第２奇数受信接続線に接続され、前記複数個の第２電極のうちの偶数番目の第２電極のそれぞれの一端は第２偶数送信接続線に接続され、他端は第２偶数受信接続線に接続され、前記第２奇数送信接続線は前記第２奇数送信チャネルに接続され、前記第２奇数受信接続線は前記第２奇数受信チャネルに接続され、前記第２偶数送信接続線は前記第２偶数送信チャネルに接続され、前記第２偶数受信接続線は前記第２偶数受信チャネルに接続されることを特徴とし、第３の態様は前記第２送信チャネル及び前記第２受信チャネルのそれぞれは複数個で構成され、前記複数個の第２電極のそれぞれの一端は前記複数個の第２送信チャネルのうちの該当する第２送信チャネルに接続され、他端は前記複数個の第２受信チャネルのうちの該当する第２受信チャネルに接続されることを特徴とする。
【００４８】
前記他の目的を達成するための本発明の入力装置の第４の態様の前記タッチパネルの第１の態様における前記第２送信接続線及び前記第２受信接続線は高い伝導性を有する物質で形成されることを特徴とし、前記タッチパネルの第２の態様の前記第２奇数送信接続線、前記第２偶数送信接続線、前記第２奇数受信接続線、及び前記第２偶数受信接続線は高い伝導性を有する物質で形成されることを特徴とする。
【００４９】
前記他の目的を達成するための本発明の入力装置の第４の態様における前記第１タッチセンサ部は、前記第１検索モード動作時に前記第１受信チャネルを介して第１追加入力信号を出力し、前記第１送信チャネルを介して入力される第１追加遅延信号を入力し、前記第１追加入力信号と前記第１追加遅延信号との第１追加遅延時間差を検出し、前記第１遅延時間差と前記第１追加遅延時間差を利用して前記第１座標を出力することを特徴とする。
【００５０】
前記他の目的を達成するための本発明の入力装置の第４の態様の前記第２タッチセンサ部の第１の態様における前記第２タッチセンサ部は、前記第２検索モード動作時に前記第２受信チャネルを介して第２追加入力信号を出力し、前記第２送信チャネルを介して入力される第２追加遅延信号を入力し、前記第２追加入力信号と前記第２追加遅延信号との第２追加遅延時間差を検出し、前記第２遅延時間差と前記第２追加遅延時間差を利用して前記第２座標を出力することを特徴とし、第２の態様は前記第２奇数送信チャネルを介して第２奇数入力信号を出力し、前記第２奇数受信チャネルを介して第２奇数遅延入力信号を入力して前記第２奇数入力信号と前記第２奇数遅延入力信号との遅延時間差を検出して第２奇数座標を出力する第２奇数タッチセンサ部と、前記第２偶数送信チャネルを介して第２偶数入力信号を出力し、前記第２偶数受信チャネルを介して第２偶数遅延入力信号を入力して前記第２偶数入力信号と前記第２偶数遅延入力信号との遅延時間差を検出して第２偶数座標を出力する第２偶数タッチセンサ部と、前記第２奇数座標と前記第２偶数座標を入力して前記第２奇数座標と前記第２偶数座標の中心位置を前記第２座標に出力する出力部と、を備えることを特徴とし、第３の態様は前記第２検索モード動作時に前記複数個の第２送信チャネルのうちの前記第１座標に対応する第２送信チャネルを介して前記第２入力信号を出力し、前記複数個の第２受信チャネルのうちの前記第１座標に対応する第２受信チャネルを介して前記第２遅延信号を入力受けることを特徴とする。
【００５１】
前記他の目的を達成するための本発明の入力装置の第４の態様の前記第１タッチセンサ部は、前記第１検索モード動作時に前記第１受信チャネルを介して第１追加入力信号を出力し、前記第１送信チャネルを介して入力される第１追加遅延信号を入力し、前記第１追加入力信号と前記第１追加遅延信号との第１追加遅延時間差を検出し、前記第１遅延時間差と前記第１追加遅延時間差を利用して前記第１座標を出力することを特徴とし、前記第２タッチセンサ部は前記第２検索モード動作時に前記第１座標に対応する第２受信チャネルを介して第２追加入力信号を出力し、前記第１座標に対応する第２送信チャネルを介して入力される第２追加遅延信号を入力し、前記第２追加入力信号と前記第２追加遅延信号との第２追加遅延時間差を検出し、前記第２遅延時間差と前記第２追加遅延時間差を利用して前記第２座標を出力することを特徴とする。
【００５２】
前記他の目的を達成するための本発明の入力装置の第４の態様は、前記第１検索モード動作と前記第２検索モード動作を順に実行するか、または前記第１検索モード動作と前記第２検索モード動作を同時に実行することを特徴とする。
【００５３】
前記他の目的を達成するための本発明の入力装置の第４の態様の前記タッチパネルの第１接続線は前記第１電極よりも大きい抵抗値を有することを特徴とする。
【発明の効果】
【００５４】
したがって、本発明のタッチパネル及びこれを備える入力装置は、最も小さい数のチャネルとタッチセンサを用いてタッチ位置を把握することができる。
【図面の簡単な説明】
【００５５】
【図１】本発明を説明する概念図である。
【図２】本発明を説明する概念図である。
【図３】本発明のタッチパネルを備える入力装置の一実施形態のブロック図である。
【図４】図３に示した本発明のタッチパネルを備える入力装置の一実施形態のタッチパネルの実施例を示す図である。
【図５】図３に示した本発明のタッチパネルを備える入力装置の一実施形態のタッチセンサ部の実施例を示す図である。
【図６】本発明のタッチパネルを備える入力装置の他の実施形態のブロック図である。
【図７】図６に示した本発明のタッチパネルを備える入力装置の他の実施形態のタッチパネルの実施例を示す図である。
【図８】図６に示した本発明のタッチパネルを備える入力装置の他の実施形態のタッチセンサ部の実施例を示す図である。
【図９】図６に示した本発明のタッチパネルを備える入力装置の他の実施形態の動作を説明するための図である。
【図１０】図６に示した本発明のタッチパネルを備える入力装置の他の実施形態の動作を説明するための図である。
【図１１】図６に示した本発明のタッチパネルを備える入力装置の他の実施形態の動作を説明するための図である。
【図１２】図６に示した本発明のタッチパネルを備える入力装置の他の実施形態の動作を説明するための図である。
【図１３】本発明のタッチパネルを備える入力装置のさらに他の実施形態のブロック図である。
【図１４】図１３に示した本発明のタッチパネルを備える入力装置のさらに他の実施形態のタッチパネルの実施例を示す図である。
【図１５】図１３に示した本発明のタッチパネルを備える入力装置のさらに他の実施形態のタッチセンサ部の実施例を示す図である。
【図１６】図１３に示した本発明のタッチパネルを備える入力装置のさらに他の実施形態の動作を説明するための図である。
【図１７】図１３に示した本発明のタッチパネルを備える入力装置のさらに他の実施形態の動作を説明するための図である。
【図１８】図１３に示した本発明のタッチパネルを備える入力装置のさらに他の実施形態の動作を説明するための図である。
【図１９】図１３に示した本発明のタッチパネルを備える入力装置のさらに他の実施形態の動作を説明するための図である。
【図２０】本発明のタッチパネルを備える入力装置のスクロール動作を説明するための図である。
【図２１】本発明のタッチパネルを備える入力装置のスクロール動作を説明するための図である。
【図２２】本発明のタッチパネルを備える入力装置のタッチパネルの実施形態を示す図である。
【図２３】本発明のタッチパネルを備える入力装置のタッチパネルの実施形態を示す図である。
【図２４】本発明のタッチパネルを備える入力装置のタッチパネルの実施形態を示す図である。
【図２５】本発明のタッチパネルの他の実施形態の第１の態様を示す図である。
【図２６】図２５に示した本発明のタッチパネルの他の実施例を備える入力装置のタッチセンサの実施例を示す図である。
【図２７】本発明のタッチパネルの他の実施形態の第２の態様を示す図である。
【図２８】本発明のタッチパネルの他の実施形態の第３の態様を示す図である。
【発明を実施するための形態】
【００５６】
以下、添付された図面を参照して本発明のタッチパネル及びこれを備える入力装置を説明する。
【００５７】
図１及び図２は、本発明の概念を説明するための本発明のタッチパネル１００の実施形態の構成を示す図であって、タッチパネル１００は６個のタッチパッドグループＧ１〜Ｇ６で構成され、それぞれのタッチパッドグループＧ１〜Ｇ６は、６個のタッチパッド（Ｐ１１〜Ｐ１６）、（Ｐ２１〜Ｐ２６）、・・・、（Ｐ６１〜Ｐ６６）で構成されていて、タッチパッドのそれぞれは該当する第１チャネルＣｈＣ１〜ＣｈＣ６及び／または第２チャネルＣｈ１〜Ｃｈ６と接続されている。上述のように、タッチパネル１００はＩＴＯフィルムで形成される。また、第１チャネルＣｈＣ１〜ＣｈＣ６及び第２チャネルＣｈ１〜Ｃｈ６のそれぞれはポンディングパッドで形成されることができ、図示しないが、第１チャネルＣｈＣ１〜ＣｈＣ６及び第２チャネルＣｈ１〜Ｃｈ６のそれぞれはタッチセンサに接続されている。図１及び図２には、タッチパネル１００が６個のタッチパッドグループで構成され、それぞれのタッチパッドグループが６個のタッチパッドで構成された場合を例示しているが、必要に応じてそれぞれを拡張や縮小することが可能である。本発明において、チャネルはタッチセンシング入力ポートを意味し、タッチセンサは集積回路またはそれに係る回路ブロックを意味する。タッチセンサは制限された所定個数のピンを有するため、チャネルの個数とタッチセンサの個数とが一致する必要はない。
【００５８】
次に、図１及び図２を参考して本発明の概念を説明する。
図１は、第１検索モード動作を説明するための図であって、本発明のタッチパネルを備える入力装置は、第１検索モード動作時にタッチパッドグループＧ１〜Ｇ６を構成するタッチパッドのうちの１つずつのタッチパッドＰ１１、Ｐ２２、Ｐ３３、Ｐ４４、Ｐ５５、Ｐ６６の接触可否を検出する。すなわち、タッチパッドＰ１１、Ｐ２２、Ｐ３３、Ｐ４４、Ｐ５５、Ｐ６６は、それぞれ該当する第１チャネルＣｈＣ１、ＣｈＣ２、ＣｈＣ３、ＣｈＣ４、ＣｈＣ５、ＣｈＣ６に接続されていて、タッチセンサ部（図示せず）のタッチセンサ（図示せず）のそれぞれは、該当する第１チャネルＣｈＣ１〜ＣｈＣ６と接続されて第１チャネルＣｈＣ１〜ＣｈＣ６を介してタッチパッドＰ１１、Ｐ２２、Ｐ３３、Ｐ４４、Ｐ５５、Ｐ６６の接触可否を検出する。よって、本発明のタッチパネルを備える入力装置は、第１検索モード動作時に接触位置がタッチパッドグループＧ１〜Ｇ６のうちのいずれかのグループに該当するか否かを判断する。
【００５９】
図２は、第２検索モード動作を説明するための図であって、本発明のタッチパネルを備える入力装置は、第２検索モード動作時に接触物体がタッチパッドグループＧ１〜Ｇ６内においてどのようなタッチパッドに接触しているかを検出する。すなわち、本発明のタッチパネルを備える入力装置においては、各タッチパッドグループＧ１〜Ｇ６を構成するタッチパッドのうちの対応する位置にあるタッチパッド（Ｐ１１、Ｐ２１、・・・、Ｐ６１）、（Ｐ１２、Ｐ２２、・・・、Ｐ６２）、・・・、（Ｐ１６、Ｐ２６、・・・、Ｐ６６）のそれぞれは第２チャネルＣｈ１〜Ｃｈ６のうちの１つの第２チャネルに共通に接続されている。また、第２チャネルＣｈ１〜Ｃｈ６のそれぞれは該当するタッチセンサ（図示せず）に接続されている。よって、本発明のタッチパネルを備える入力装置は、第２検索モード動作時に接触位置がタッチパッドグループ内においてどの位置にあるかを判断する。図２では、対応する位置にあるタッチパッド（Ｐ１１、Ｐ２１、・・・、Ｐ６１）、（Ｐ１２、Ｐ２２、・・・、Ｐ６２）、・・・、（Ｐ１６、Ｐ２６、・・・、Ｐ６６）のそれぞれが１つのラインに接続されて該当する第２チャネルＣｈ１〜Ｃｈ６に共通に接続された形態として例示しているが、第２チャネルのそれぞれと別途の信号ライン（すなわち、６個の信号ラインを介してタッチパッド（Ｐ１１、Ｐ２１、・・・、Ｐ６１）、（Ｐ１２、Ｐ２２、・・・、Ｐ６２）、・・・、（Ｐ１６、Ｐ２６、・・・、Ｐ６６））のそれぞれに接続されるように構成することができる。
【００６０】
すなわち、本発明のタッチパネルを備える入力装置は、第１検索モード動作と第２検索モード動作を実行して接触位置を検出する。第１検索モード動作は、図１に示すように第１チャネルＣｈＣ１〜ＣｈＣ６のそれぞれを、タッチパッドグループＧ１〜Ｇ６を構成するタッチパッドのうちの１つに接続した構成を用いて実行することができ、第２検索モード動作は図２に示すように第２チャネルＣｈ１〜Ｃｈ６のそれぞれを、タッチパッドグループＧ１〜Ｇ５を構成するタッチパッドのうちの対応する位置にあるタッチパッドに共通に接続した構成を用いて実行することができる。
【００６１】
図１及び図２では、第１チャネルＣｈＣ１〜ＣｈＣ６のそれぞれに接続されるタッチパッドＰ１１、Ｐ２２、Ｐ３３、Ｐ４４、Ｐ５５、Ｐ６６が、対応する第２チャネルＣｈ１〜Ｃｈ６に接続される場合を例示しているが、本発明のタッチパネルを備える入力装置は第１チャネルＣｈＣ１〜ＣｈＣ６のそれぞれだけに接続されるタッチパッドを別に備えるように構成することができ、この場合、第１チャネルＣｈＣ１〜ＣｈＣ６のそれぞれだけに接続されるタッチパッドのそれぞれは該当するグループＧ１〜Ｇ６の一側面に配置することもでき、該当するグループＧ１〜Ｇ６の内部に配置されることができる。また、第１チャネルＣｈＣ１〜ＣｈＣ６と第２チャネルＣｈ１〜Ｃｈ６は同一チャネルで構成することができる。また、図１及び図２では、タッチパッド（Ｐ１１、Ｐ１２、・・・、Ｐ１６）、（Ｐ２１、Ｐ２２、・・・、Ｐ２６）、・・・、（Ｐ６１、Ｐ６２、・・・、Ｐ６６）のそれぞれが該当する第１チャネルＣｈＣ１〜ＣｈＣ６及び該当する第２チャネルＣｈ１〜Ｃｈ６に接続されている場合を例示したが、本発明のタッチパネル及びこれを備える入力装置は、タッチパッド（Ｐ１１、Ｐ１２、・・・、Ｐ１６）、（Ｐ２１、Ｐ２２、・・・、Ｐ２６）、・・・、（Ｐ６１、Ｐ６２、・・・、Ｐ６６）、第１チャネルＣｈＣ１〜ＣｈＣ６、及び第２チャネルＣｈ１〜Ｃｈ６のそれぞれが半導体装置または半導体素子のピンに接続され、半導体装置または半導体素子の内部において、タッチパッド（Ｐ１１、Ｐ１２、・・・、Ｐ１６）、（Ｐ２１、Ｐ２２、・・・、Ｐ２６）、・・・、（Ｐ６１、Ｐ６２、・・・、Ｐ６６）のそれぞれが該当する第１チャネルＣｈＣ１〜ＣｈＣ６または第２チャネルＣｈ１〜Ｃｈ６に時間的に適切に接続されるように構成することができる。
【００６２】
図３は、本発明のタッチパネルを備える入力装置の一実施形態を示す図であって、タッチパネル１０１、タッチセンサ部２０１、及び計算部３００で構成されている。
【００６３】
次に、図３に示すブロックのそれぞれの機能を説明する。
タッチパネル１０１は、複数個の第１タッチパッド（図示せず）及び複数個の第２タッチパッド（図示せず）で構成され、それぞれのタッチパッドは接触物体の接触可否によってインピーダンス（例えば、キャパシタンス）の値が可変される。言い換えれば、それぞれのタッチパッドは接触物体の接触可否によって可変されるインピーダンス（例えば、キャパシタンス）を検出するために用いられる。上述のようにタッチパッドはＩＴＯフィルムで形成されることができる。また、前記複数個の第１タッチパッドのそれぞれは、該当する第１チャネルＣｈＣ１〜ＣｈＣｎに接続され、前記複数個の第２タッチパッドのそれぞれは該当する第２チャネルＣｈ１〜Ｃｈｍに接続されていて、前記第１チャネルＣｈＣ１〜ＣｈＣｎ及び前記第２チャネルＣｈ１〜Ｃｈｍはポンディングパッドを備える形態として形成されることができる。また、前記複数個の第２タッチパッドは複数個のタッチパッドグループとしてグループ化される。
【００６４】
タッチセンサ部２０１は前記第１チャネルＣｈＣ１〜ＣｈＣｎ及び前記第２チャネルＣｈ１〜Ｃｈｍに接続され、前記第１チャネルＣｈＣ１〜ＣｈＣｎを介して接触物体が第１タッチパッドに接触されているか否かを判断して第１タッチ信号ｔｃ１〜ｔｃｎを出力し、前記第２チャネルＣｈ１〜Ｃｈｍを介して接触物体が第２タッチパッドに接触されているか否かを判断して第２タッチ信号ｔｆ１〜ｔｆｍを出力する。第１タッチ信号ｔｃ１〜ｔｃｎは接触物体がどのタッチパッドグループに接触されているかを示し、第２タッチ信号ｔｆ１〜ｔｆｍは接触物体がタッチパッドグループ内のどの位置のタッチパッドに接触されているかを示す。
【００６５】
計算部３００は、前記第１タッチ信号ｔｃ１〜ｔｃｎ及び前記第２タッチ信号ｔｆ１〜ｔｆｍを入力して、タッチされた位置の座標コードＣｃｏｄｅを計算して出力する。計算部３００は補間法（ｉｎｔｅｒｐｏｒａｔｉｏｎ）を利用して入力装置の解像度を高めるように構成することができる。すなわち、計算部３００は、たとえタッチされた位置が複数個である場合には複数個のタッチされた位置の中心位置を計算して計算された中心位置に対応する座標コードＣｃｏｄｅを出力するように構成される。また、計算部３００は前記第２タッチ信号ｔｆ１〜ｔｆｍを連続的に入力し、連続的に入力された前記第２タッチ信号ｔｆ１〜ｔｆｍを比較してスクロール情報を出力することができる。
【００６６】
図示しないが、本発明のタッチパネルを備える入力装置は、必要に応じて計算部３００を省略して構成することもできる。この場合、タッチパネルを備える入力装置は前記第１タッチ信号ｔｃ１〜ｔｃｎ及び前記第２タッチ信号ｔｆ１〜ｔｆｍを出力する。
【００６７】
図４は、図３に示す本発明のタッチパネルを備える入力装置の一実施形態のタッチパネル１０１の実施例を示すもので、タッチパネル１０１は６個の第１タッチパッドＰＣ１〜ＰＣ６及び６個のタッチパッドグループＧ１〜Ｇ６から構成され、６個のタッチパッドグループＧ１〜Ｇ６のそれぞれは６個の第２タッチパッド（Ｐ１１〜Ｐ１６）、（Ｐ２１〜Ｐ２６）、・・・、（Ｐ６１〜Ｐ６６）から構成される。
【００６８】
第１タッチパッドＰＣ１〜ＰＣ６のそれぞれは第１方向（例えば、ｘ軸方向）に配置され、第２方向（例えば、ｙ軸方向）に伸張され、第２タッチパッド（Ｐ１１〜Ｐ１６）、（Ｐ２１〜Ｐ２６）、・・・、（Ｐ６１〜Ｐ６６）のそれぞれは第１方向（例えば、ｘ軸方向）に配置され、第２方向（例えば、ｙ軸方向）に伸張される。また、タッチパッドグループＧ１〜Ｇ６のそれぞれは第１タッチパッドＰＣ１〜ＰＣ６のそれぞれに隣接して配置される。
【００６９】
第１タッチパッドＰＣ１〜ＰＣ６のそれぞれは該当する第１チャネルＣｈＣ１〜ＣｈＣ６に接続されていて、タッチパッドグループＧ１〜Ｇ６内の同一位置に配置された第２タッチパッド（Ｐ１１、Ｐ２１、・・・、Ｐ６１）、（Ｐ１２、Ｐ２２、・・・、Ｐ６２）、・・・、（Ｐ１６、Ｐ２６、・・・、Ｐ６６）のそれぞれは、第２チャネルＣｈ１〜Ｃｈ６のうちの対応する１つの第２チャネルに共通に接続されている。上述のように、タッチパッドグループＧ１〜Ｇ６内の同一位置に配置された第２タッチパッド（Ｐ１１、Ｐ２１、・・・、Ｐ６１）、（Ｐ１２、Ｐ２２、・・・、Ｐ６２）、・・・、（Ｐ１６、Ｐ２６、・・・、Ｐ６６）のそれぞれと該当する第２チャネルＣｈ１〜Ｃｈ６は別途の信号ライン（すなわち、６個の信号ライン）を介して接続されるように構成することができる。
【００７０】
図４では、タッチパッドグループＧ１〜Ｇ６のそれぞれが第１タッチパッドＰＣ１〜ＰＣ６のそれぞれの一側面に配置される場合を例示したが、タッチパッドグループＧ１〜Ｇ６のそれぞれの内部に第１タッチパッドＰＣ１〜ＰＣ６のうちの該当する第１タッチパッドが配置されるように構成することができる。
【００７１】
図５は、図３に示す本発明のタッチパネルを備える入力装置の実施形態のタッチセンサ部２０１の実施例を示すもので、タッチセンサ部２０１は第１タッチセンサ部２１０及び第２タッチセンサ部２２０から構成され、第１タッチセンサ部２１０は第１入力信号発生部２１１、６個の第１検知信号発生部２１２−１〜２１２−６、第１基準信号発生部２１３及び６個の第１接触信号発生部２１４−１〜２１４−６から構成され、第２タッチセンサ部２２０は第２入力信号発生部２２１、６個の第２検知信号発生部２２２−１〜２２２−６、第２基準信号発生部２２３及び６個の第２接触信号発生部２２４−１〜２２４−６から構成される。また、第１チャネルＣｈＣ１〜ＣｈＣ６のそれぞれは該当する第１検知信号発生部２１２−１〜２１２−６に接続されていて、第２チャネルＣｈ１〜Ｃｈ６のそれぞれは該当する第２検知信号発生部２２２−１〜２２２−６に接続されている。
【００７２】
次に、図５に示すブロックのそれぞれの機能を説明する。
第１タッチセンサ部２１０は、第１検索モード動作時に第１チャネルＣｈＣ１〜ＣｈＣ６を介して第１タッチパッドＰＣ１〜ＰＣ６の接触可否を判断して第１タッチ信号ｔｃ１〜ｔｃ６を出力し、第２タッチセンサ部２２０は第２検索モード動作時に第２チャネルＣｈ１〜Ｃｈ６を介して第２タッチパッドＰ１１〜Ｐ６６の接触可否を判断して第２タッチ信号ｔｆ１〜ｔｆ６を出力する。
【００７３】
第１入力信号発生部２１１及び第２入力信号発生部２２１のそれぞれは第１入力信号ｉｎｃ１及び第２入力信号ｉｎｃ２を出力する。第１入力信号ｉｎｃ１及び第２入力信号ｉｎｃ２はクロック信号形態とすることができる。
【００７４】
６個の第１検知信号発生部２１２−１〜２１２−６のそれぞれは該当する第１チャネルＣｈＣ１〜ＣｈＣ６に接続されて第１タッチパッドＰＣ１〜ＰＣ６の接触可否によって第１入力信号ｉｎｃ１を遅延させて第１検知信号ｓｅｎ１１〜ｓｅｎ１６を出力する。６個の第２検知信号発生部２２２−１〜２２２−６のそれぞれは該当する第２チャネルＣｈ１〜ｃｈ６に接続されて第２タッチパッドＰ１１〜Ｐ６６の接触可否によって第２入力信号ｉｎｃ２を遅延させて第２検知信号ｓｅｎ２１〜ｓｅｎ２６を出力する。
【００７５】
第１基準信号発生部２１３及び第２基準信号発生部２２３のそれぞれは、第１入力信号ｉｎｃ１及び第２入力信号ｉｎｃ２それぞれをタッチパッドの接触可否にかかわらず、所定時間遅延させて第１基準信号ｒｅｆ１及び第２基準信号ｒｅｆ２を出力する。第１基準信号発生部２１３及び第２基準信号発生部２２３がそれぞれ第１入力信号ｉｎｃ１及び第２入力信号ｉｎｃ２を所定時間遅延させて第１基準信号ｒｅｆ１及び第２基準信号ｒｅｆ２を出力することで、より正確にタッチ可否を判断することができる。しかし、第１基準信号発生部２１３及び第２基準信号発生部２２３は、必要に応じて第１入力信号ｉｎｃ１及び第２入力信号ｉｎｃ２を遅延させず、そのまま第１基準信号ｒｅｆ１及び第２基準信号ｒｅｆ２に出力するように構成することができる。
【００７６】
第１接触信号発生部２１４−１〜２１４−６のそれぞれは、第１基準信号ｒｅｆ１と該当する第１検知信号ｓｅｎ１１〜ｓｅｎ１６を入力して該当する第１タッチパッドの接触可否を判断し、第１タッチパッドの接触可否を示す第１タッチ信号ｔｃ１〜ｔｃ６を出力する。第２接触信号発生部２２４−１〜２２４−６のそれぞれは、第２基準信号ｒｅｆ２と該当する第２検知信号ｓｅｎ２１〜ｓｅｎ２６を入力して該当する第２タッチパッドの接触可否を判断し、第２タッチパッドの接触可否を示す第２タッチ信号ｔｆ１〜ｔｆ６を出力する。
【００７７】
第１接触信号発生部２１４−１〜２１４−６のそれぞれは、該当する検知信号ｓｅｎ１１〜ｓｅｎ１６が第１基準信号ｒｅｆ１よりさらに遅延されて入力されれば該当する第１タッチパッドが接触されたものと判断し、第１基準信号ｒｅｆ１が該当する検知信号ｓｅｎ１１〜ｓｅｎ１６よりさらに遅延されて入力されれば該当する第１タッチパッドが接触されないものと判断するように構成することができる。
【００７８】
また、第１接触信号発生部２１４−１〜２１４−６のそれぞれは、該当する第１検知信号ｓｅｎ１１〜ｓｅｎ１６と第１基準信号ｒｅｆ１との遅延時間差を出力するように構成することができる。この場合、第１タッチ信号ｔｃ１〜ｔｃ６のそれぞれは遅延時間差に対応する信号（例えば、遅延時間差に対応する電圧を有する信号、または遅延時間差を表示する温度計コードまたは２進コード形態の信号）とすることができる。また、第１接触信号発生部２１４−１〜２１４−６のそれぞれは、第１検知信号ｓｅｎ１１〜ｓｅｎ１６または第２検知信号ｓｅｎ２１〜ｓｅｎ２６と第１基準信号ｒｅｆ１または第２基準信号ｒｅｆ２との遅延時間差を検出して遅延時間差に対応する信号を出力する遅延時間検出部（図示せず）及び前記遅延時間差に対応する信号を入力して第１タッチパッドＰＣ１〜ＰＣ６のタッチ可否を示すタッチ信号を出力する出力部を備えるように構成することができる。この場合、第１接触信号発生部２１４−１〜２１４−６のそれぞれは、遅延時間差が所定時間以上であれば第１タッチパッドＰＣ１〜ＰＣ６がタッチされたものと判断するように構成することができる。第２接触信号発生部２２４−１〜２２４−６のそれぞれは上述の第１接触信号発生部と同一方法で第２タッチパッドＰ１〜Ｐ６のタッチ可否を判断するように構成することができる。
【００７９】
また、第１タッチセンサ部２１０及び第２タッチセンサ部２２０のそれぞれは、第１タッチ信号ｔｃ１〜ｔｃ６及び第２タッチ信号ｔｆ１〜ｔｆ６のうちのいずれかの１つの第１タッチ信号及び１つの第２タッチ信号のみをタッチされた状態を表示するように構成することもできる。例えば、第１タッチセンサ部２１０は、たとえ、すべての第１タッチパッドＰＣ１〜ＰＣ６が接触されない状態として判断された場合でも第１検知信号ｓｅｎ１１〜ｓｅｎ１６のうちの最も遅延時間が大きい第１検知信号に対応する第１タッチ信号のみにタッチされた状態を表示するように構成することができる。また、第１タッチセンサ部２１０は複数個の第１タッチパッドＰＣ１〜ＰＣ６が接触された状態ものと判断された場合、第１検知信号ｓｅｎ１１〜ｓｅｎ１６のうちの最も遅延時間が大きい第１検知信号に対応する第１タッチ信号のみにタッチされた状態を表示するように構成することができ、あらかじめ定められたことにより接触されたものと判断した複数個の第１タッチパッドＰＣ１〜ＰＣ６のうちのいずれかの１つの第１タッチパッドに対応する第１タッチ信号のみにタッチされた状態を表示するように構成することができる。また、第２タッチセンサ部２２０の場合も同様である。
【００８０】
図４では、タッチパネル１０１が６個の第１タッチパッド及び６個のタッチパッドグループから構成され、タッチパッドグループが６個の第２タッチパッドから構成される場合を例示したが、第１タッチパッド、タッチパッドグループ、及び第２タッチパッドの個数は、必要に応じて拡張／縮小が可能であり、この場合、図５のタッチセンサ部の第１検知信号発生部及び第２検知信号発生部の個数も拡張／縮小できる。
【００８１】
また、図５に示すタッチセンサ部２０１は、基準信号ｒｅｆ１、ｒｅｆ２と検知信号ｓｅｎ１１〜ｓｅｎ１６、ｓｅｎ２１〜ｓｅｎ２６との遅延時間差を検出して対応するタッチパッドのタッチ可否を判断する場合を例示したが、タッチセンサ部２０１の第１タッチセンサ部２１０及び／または第２タッチセンサ部２２０はタッチ可否によって可変するタッチパッドのインピーダンス（例えば、キャパシタンス）を検出する方式としても構成することができる。
【００８２】
次に、図３ないし図５を参考して本発明のタッチパネルを備える入力装置の実施形態の動作を説明する。
【００８３】
まず、第１検索モード動作時にタッチセンサ部２０１の第１タッチセンサ部２１０は第１タッチパッドＰＣ１〜ＰＣ６のうちのどのタッチパッドが接触されているかを判断する。万一、接触物体が第１タッチパッドＰＣ２のみに接触されたら接触物体のキャパシタンス及び／または第１タッチパッドＰＣ２の抵抗成分によって第１検知信号発生部２１２−２は第１入力信号ｉｎｃ１を遅延させて第１検知信号ｓｅｎ１２を出力し、第１検知信号発生部２１２−１、２１２−３〜２１２−６のそれぞれは第１入力信号ｉｎｃ１を前記第１基準信号ｒｅｆ１よりも小さく遅延させて第２検知信号ｓｅｎ１１、ｓｅｎ１３〜ｓｅｎ１６を出力する。よって、第１接触信号発生部２１４−２は、接触された状態を表示する第１タッチ信号ｔｃ２を出力し、第１接触信号発生部２１４−１、２１４−３〜２１４−６のそれぞれは接触しない状態を表示する第１タッチ信号ｔｃ１、ｔｃ３〜ｔｃ６を出力する。
【００８４】
また、上述のように、第１タッチセンサ部２１０は、例え第１タッチパッドＰＣ１〜ＰＣ６のすべてが直接タッチしなくても、タッチパッドグループＧ１〜Ｇ６内の第２タッチパッド（Ｐ１１、Ｐ２１、・・・、Ｐ６１）、（Ｐ１２、Ｐ２２、・・・、Ｐ６２）、・・・、（Ｐ１６、Ｐ２６、・・・、Ｐ６６）のうちの任意のタッチパッドがタッチされたものとして判断される場合には、遅延時間が最も大きい第１検知信号に対応する第１タッチ信号のみが接触された状態を表示するように構成することができる。また、第１タッチセンサ部２１０は、複数個の第１タッチパッドがタッチされた場合、タッチされた第１タッチパッドに対応する第１検知信号のうちの遅延時間が最も大きい第１検知信号に対応する第１タッチ信号のみが接触された状態を表示するように構成することもでき、あらかじめ設定されたことに従って、１つの第１タッチ信号（例えば、タッチパネルが図４に示すように構成され、２つの第１タッチパッドが接触されたものとして判断された場合、左側の第１タッチパッドに対応する第１タッチ信号のみが接触された状態を表示するように構成することができる。また、第１タッチセンサ部２１０が、対応するタッチパッドのタッチ可否によって可変されるインピーダンス（例えば、キャパシタンス）を測定する方式として実現された場合には最も小さいインピーダンスを有する第１タッチパッドに対応する第１タッチ信号のみが接触された状態を表示するように構成することができる。
【００８５】
次に、第２検索モード動作時に第２タッチセンサ部２２０がタッチパッドグループ内でどの第２タッチパッドが接触されているかを判断して、その判断結果によって第２タッチ信号ｔｆ１〜ｔｆ６を出力する。第２タッチセンサ部２２０は上述の第１タッチセンサ部２１０と同一動作するように構成することができる。
【００８６】
万一、タッチセンサ部２０１が第１検索モード動作時にタッチ状態を表示する第１タッチ信号ｔｃ２を出力したら、これは接触物体がタッチパッドグループＧ１〜Ｇ６のうちのタッチパッドグループＧ２に含まれたタッチパッドにタッチされたことを意味する。また、タッチセンサ部２０１が、第２検索モード動作時にタッチされた状態を示す第２タッチ信号ｔｆ１及びｔｆ２を出力したら、これは接触物体がタッチパッドグループを構成するタッチパッドのうちの左側から一番目及び二番目のタッチパッドにタッチされたことを意味する。結果的に、万一、タッチセンサ部２０１がタッチされた状態を示す第１タッチ信号ｔｃ２及びタッチされた状態を示す第２タッチ信号ｔｆ１及びｔｆ２を出力したら、これは接触物体がタッチパッドＰ２１及びＰ２２にタッチされたことを意味する。
【００８７】
図３ないし図５に示す本発明のタッチパネルを備える入力装置の一実施形態は、前記第１検索モード動作と第２検索モード動作を同時に実行するように構成することができ、順に実行するように構成することもできる。順に実行する場合は、第１検索モード動作を先に実行するか、または、第２検索モード動作を先に実行することができる。
【００８８】
図６は、本発明のタッチパネルを備える入力装置の他の実施例を示す図で、タッチパネル１０２、タッチセンサ部２０２及び計算部３００から構成されている。
【００８９】
次に、図６に示すブロックのそれぞれの機能を説明する。
タッチパネル１０２は複数個のタッチパッド（図示せず）で構成され、それぞれのタッチパッドは接触物体の接触可否によってインピーダンス（例えば、キャパシタンス）の値が可変される。上述のように、タッチパッドはＩＴＯフィルムで形成されることができる。また、前記複数個のタッチパッドのそれぞれは該当するチャネルＣｈ１〜Ｃｈｍに接続され、前記チャネルＣｈ１〜Ｃｈｍはポンディングパッド形態で形成される。また、前記複数個のタッチパッドは複数個のタッチパッドグループとしてグループ化され、それぞれのタッチパッドグループ内部のタッチパッドのうちの一部のタッチパッドに第１入力信号ｉｎｃ１が印加される。
【００９０】
タッチセンサ部２０２は、前記チャネルＣｈ１〜Ｃｈｍに接続され、第１検索モード動作時に第１入力信号ｉｎｃ１を出力し、前記チャネルＣｈ１〜Ｃｈｍを介して接触物体が第１入力信号ｉｎｃ１の印加されたタッチパッドのうちのどのタッチパッドに接触されているかを判断して第１タッチ信号ｔｃ１〜ｔｃｎを出力し、第２検索モード動作時に前記チャネルＣｈ１〜Ｃｈｍを介して接触物体がどのタッチパッドに接触されているかを判断して第２タッチ信号ｔｆ１〜ｔｆｍを出力する。第１タッチ信号ｔｃ１〜ｔｃｎは、複数個のタッチパッドグループのうちの接触物体がタッチされたタッチパッドグループがどれであるかを表示し、第２タッチ信号ｔｆ１〜ｔｆｍは接触物体がタッチパッドグループ内のどの位置のタッチパッドに接触されているかを表示する。
【００９１】
計算部３００の機能は、図３で説明したものと同一である。
図７は、図６に示す本発明のタッチパネルを備える入力装置の他の実施形態のタッチパネル１０２の実施例を示す図であって、６個のタッチパッドグループＧ１〜Ｇ６から構成され、タッチパッドグループＧ１〜Ｇ６のそれぞれは６個のタッチパッド（Ｐ１１〜Ｐ１６）、（Ｐ２１〜Ｐ２６）、・・・、（Ｐ６１〜Ｐ６６）から構成されている。タッチパッド下端の抵抗はコーティング（ｃｏａｔｉｎｇ）方式によって製造され、ＩＴＯフィルムを用いる場合にはＩＴＯフィルムの端に抵抗型コーティングを行って抵抗を形成することができる。
【００９２】
タッチパッド（Ｐ１１〜Ｐ６１）、（Ｐ１２〜Ｐ６２）、・・・、（Ｐ１６〜Ｐ６６）のそれぞれは第１方向（例えば、ｘ軸方向）に配置され、第２方向（例えば、ｙ軸方向）に伸張する。
【００９３】
タッチパッドグループＧ１〜Ｇ６内の対応する位置に配置されたタッチパッド（Ｐ１１〜Ｐ６１）、（Ｐ１２〜Ｐ６２）、・・・、（Ｐ１６〜Ｐ６６）は該当するチャネルＣｈ１〜Ｃｈ６に共通に接続されていて、タッチパッドグループＧ１〜Ｇ６内の１つずつのタッチパッドＰ１１、Ｐ２２、Ｐ３３、Ｐ４４、Ｐ５５、Ｐ６６にタッチセンサ部２０２から出力される第１入力信号ｉｎｃ１が印加される。第１入力信号ｉｎｃ１が印加されるタッチパッドＰ１１、Ｐ２２、Ｐ３３、Ｐ４４、Ｐ５５、Ｐ６６はそれぞれ互いに異なるチャネルに接続されている。
【００９４】
図８は、図６に示す本発明のタッチパネルを備える入力装置の他の実施形態のタッチセンサ部２０２の実施例を示す図であって、第１タッチセンサ部２１５、第２タッチセンサ部２２０及び制御部２３２から構成されている。第１タッチセンサ部２１５は、第１入力信号発生部２１６及び６個の第１接触信号発生部２１７−１〜２１７−６から構成されていて、第１接触信号発生部２１７−１〜２１７−６のそれぞれは遅延信号検出部２１７−１１及び比較部２１７−１２から構成されている。すなわち、図示しないが、第１接触信号発生部２１７−２〜２１７−６のそれぞれは第１接触信号発生部２１７−１と同一に構成することができる。第２タッチセンサ部２２０は、第２入力信号発生部２２１、６個の第２検知信号発生部２２２−１〜２２２−６、第２基準信号発生部２２３及び６個の第２接触信号発生部２２４−１〜２２４−６から構成されている。また、チャネルＣｈ１〜Ｃｈ６のそれぞれは該当する第１接触信号発生部２１７−１〜２１７−６及び該当する第２検知信号発生部２２２−１〜２２２−６に接続されている。
【００９５】
次に、図８に示すブロックのそれぞれの機能を説明する。
第２タッチセンサ部２２０の機能及び第２タッチセンサ部２２０の内部ブロックの機能は、図５で説明したものと同一である。ただし、第２入力信号発生部２２１は制御部２３２から出力された第２制御信号ｃｏｎ２に応答して第２入力信号ｉｎｃ２を出力するように構成することができる。
【００９６】
第１タッチセンサ部２１５は、第１検索モード動作時に第１入力信号ｉｎｃ１が印加されるタッチパッドＰ１１、Ｐ２２、・・・、Ｐ６６の接触可否を検出して第１タッチ信号ｔｃ１〜ｔｃ６を出力する。第１入力信号発生部２１６は第１入力信号ｉｎｃ１を出力する。第１入力信号発生部２１６は制御部２３２から出力される第１制御信号ｃｏｎ１に応答して第１入力信号ｉｎｃ１を出力するように構成することができる。また、第１入力信号ｉｎｃ１はクロック信号形態とすることができる。
【００９７】
６個の第１接触信号発生部２１７−１〜２１７−６のそれぞれは、該当するチャネルＣｈ１〜Ｃｈ６と接続されてチャネルＣｈ１〜Ｃｈ６を介して入力される遅延信号ｄｉｎｃ１〜ｄｉｎｃ６と第１入力信号ｉｎｃ１との遅延時間差を検出して第１入力信号ｉｎｃ１が印加されるタッチパッドＰ１１、Ｐ２２、・・・、Ｐ６６の接触可否を判断してタッチパッドＰ１１、Ｐ２２、・・・、Ｐ６６のそれぞれの接触可否を示す第１タッチ信号ｔｃ１〜ｔｃ６を出力する。遅延信号検出部２１７−１１のそれぞれは該当するチャネルＣｈ１〜Ｃｈ６を介して遅延信号ｄｉｎｃ１〜ｄｉｎｃ６を入力し、遅延信号ｄｉｎｃ１〜ｄｉｎｃ６の信号レベルを検知してパルス遅延信号ｐｄｉｎｃ１〜ｐｄｉｎｃ６を出力する。比較部２１７−１２のそれぞれは該当するパルス遅延信号ｐｄｉｎｃ１〜ｐｄｉｎｃ６と第１入力信号ｉｎｃ１との遅延時間差を比較し、比較結果によって該当する第１タッチ信号ｔｃ１〜ｔｃ６を出力する。この場合、遅延時間差が所定の時間以上であれば対応するタッチパッドがタッチされたものと判断し、タッチされた状態を示す第１タッチ信号ｔｃ１〜ｔｃ６を出力するように構成することができる。
【００９８】
図５で説明したように、第１接触信号発生部２１７−１〜２１７−６のそれぞれは該当する遅延信号ｄｉｎｃ１〜ｄｉｎｃ６と第１入力信号ｉｎｃ１との遅延時間差を出力するように構成することができ、第１タッチ信号ｔｃ１〜ｔｃ６のうちのいずれかの１つの第１タッチ信号（例えば、遅延時間差が最も大きい遅延信号ｄｉｎｃ１〜ｄｉｎｃ６に対応する第１タッチ信号）のみに対応するタッチパッドがタッチされた状態を表示するように構成することができる。
【００９９】
制御部２３２は、第１検索モード動作時に第１制御信号ｃｏｎ１を活性化させて第１入力信号発生部２１６が第１入力信号ｉｎｃ１を出力するように制御し、第２検索モード動作時に第２制御信号ｃｏｎ２を活性化させて第２入力信号発生部２２１が第２入力信号ｉｎｃ２を出力するように制御する。図示しないが、制御部２３２は第１タッチセンサ部２１５及び第２タッチセンサ部２２０の残りのブロックを制御するように構成することができる。
【０１００】
図８では、第１検索モード動作時に第１タッチセンサ部２１５を用い、第２検索モード動作時に第２タッチセンサ部２２０を用いる場合を例示したが、第１検索モード動作時に第２タッチセンサ部２２０を用い、第２検索モード動作時に第１タッチセンサ部２１５を用いるように構成することができる。
【０１０１】
また、図８において制御部２３２は省略して実施することができる。この場合、第１入力信号発生部２１６は第１検索モード動作時に前記第１入力信号ｉｎｃ１を出力し、第２入力信号発生部２２１は第２検索モード動作時に前記第２入力信号ｉｎｃ２を出力するように構成することができる。
【０１０２】
図９ないし図１２は、図６ないし図８に示す本発明のタッチパネルを備える入力装置の他の実施形態の動作を説明するための図であって、タッチパネル１０２におけるタッチパッドグループＧ１、Ｇ２部分のみを示す図である。図９は接触物体がタッチパッドＰ１１、Ｐ１２に接触された場合の第１検索モード動作を、図１０は接触物体がタッチパッドＰ１１、Ｐ１２に接触された場合の第２検索モード動作を、図１１は接触物体がタッチパッドＰ２１、Ｐ２２に接触された場合の第１検索モード動作を、図１２は接触物体がタッチパッドＰ２１、Ｐ２２に接触された場合の第２検索モード動作を、それぞれ説明するための図であり、図９ないし図１２で楕円として示した部分は接触物体が接触されている部分を示す。
【０１０３】
次に、図９ないし図１２を参考して本発明のタッチパネルを備える入力装置の他の実施形態の動作を説明する。
【０１０４】
まず、図９に示すように、第１検索モード動作時にタッチセンサ部２０２の第１タッチセンサ部２１５はタッチパネル１０２に第１入力信号ｉｎｃ１を出力し、チャネルＣｈ１〜Ｃｈ６を介して入力される遅延信号ｄｉｎｃ１〜ｄｉｎｃ６を入力して第１入力信号ｉｎｃ１が印加されるタッチパッドＰ１１、Ｐ２２、・・・、Ｐ６６の接触可否を検出する。タッチパッドＰ１１には接触物体が接触されていて、タッチパッドＰ２２には接触物体が接触されていないため、チャネルＣｈ１を介してタッチセンサ部２０２に入力される遅延信号ｄｉｎｃ１は接触物体のキャパシタンス及び／またはタッチパッドＰ１１の抵抗成分によってチャネルＣｈ２を介してタッチセンサ部２０２に入力される遅延信号ｄｉｎｃ２よりさらに遅延されることになる（チャネルＣｈ３〜Ｃｈ６を介してタッチセンサ部２０２に入力される遅延信号ｄｉｎｃ３〜ｄｉｎｃ６の遅延時間も遅延信号ｄｉｎｃ２の遅延時間と大きな差がない。）。すなわち、遅延信号ｄｉｎｃ１と第１入力信号ｉｎｃ１との遅延時間差は大きい値を有するのに対して、遅延信号ｄｉｎｃ２と第１入力信号ｉｎｃ１との遅延時間差は相対的に小さい値を有する。よって、タッチセンサ部２０２の第１タッチセンサ部２１５は、第１検索モード動作時にタッチされた状態を示す第１タッチ信号ｔｃ１及びタッチされない状態を示す第１タッチ信号ｔｃ２〜ｔｃ６を出力する。
【０１０５】
次に、図１０に示すように、第２検索モード動作時に第２タッチセンサ部２２０はタッチパッドグループＧ１〜Ｇ６内においてどの位置のタッチパッドが接触されているかを判断して第２タッチ信号ｔｆ１〜ｔｆ６を出力する。タッチパッドＰ１１、Ｐ１２に接触物体が接触されているので、第２タッチセンサ部２２０はタッチされた状態を示す第２タッチ信号ｔｆ１、ｔｆ２及びタッチされない状態を示す第２タッチ信号ｔｆ３〜ｔｆ６を出力する。第２検索モード動作時に第２タッチセンサ部２２０の動作については、図３ないし図５に対する説明を参照することで、理解することができる。
【０１０６】
すなわち、タッチセンサ部２０２は、第１検索モード動作時にタッチされた状態を表示する第１タッチ信号ｔｃ１を出力し、第２検索モード動作時にタッチされた状態を表示する第２タッチ信号ｔｆ１、ｔｆ２を出力する。すなわち、第１検索モード動作を行うことによって複数個のタッチパッドグループのうちのタッチパッドグループＧ１に含まれたタッチパッドに接触物体が接触されていることがわかり、第２検索モード動作を行うことによってタッチパッドグループを構成するタッチパッドのうちの左側から一番目及び二番目のタッチパッドに接触物体が接触されていることがわかる。結果的に、タッチパッドＰ１１、Ｐ１２に接触物体が接触されたことがわかる。上述のように、本発明のタッチパネルを備える入力装置は、前記第１及び第２タッチ信号を出力するように構成することができ、計算部３００を備えてタッチパッドＰ１１、Ｐ１２に対応する座標位置を出力するように構成することができる。計算部３００を備える場合、計算部３００は前記第１及び第２タッチ信号を入力してタッチされた位置、すなわち、タッチパッドＰ１１、Ｐ１２に対応する座標コードＣｃｏｄｅを計算して出力するように構成することができる。また、上述のように、計算部３００は、補間法（ｉｎｔｅｒｐｏｒａｔｉｏｎ）を用いて入力装置の解像度を高めるように構成することができる。すなわち、計算部３００はタッチされている位置、すなわち、タッチパッドＰ１１に対応する位置とタッチパッドＰ１２に対応する位置との中心位置を計算し、計算された中心位置に対応する座標コードＣｃｏｄｅを出力するように構成することができる。
【０１０７】
図１１に示すように、タッチパッドＰ２２に接触物体が接触されているので、チャネルＣｈ２を介して出力される遅延信号ｄｉｎｃ２の遅延時間は大きい値を有するが、他のチャネルＣｈ１、Ｃｈ３〜Ｃｈ６を介して出力される遅延信号ｄｉｎｃ１、ｄｉｎｃ３〜ｄｉｎｃ６の遅延時間は相対的小さい値を有することになる。よって、第１タッチセンサ部２１５は、タッチされた状態を示す第１タッチ信号ｔｃ２及びタッチされない状態を示す第１タッチ信号ｔｃ１、ｔｃ３〜ｔｃ６を出力する。
【０１０８】
次に、図１２を参照すると、図１０で説明されたように第２タッチセンサ部２２０はタッチされた状態を示す第２タッチ信号ｔｆ１、ｔｆ２及びタッチされない状態を示す第２タッチ信号ｔｆ３〜ｔｆ６を出力する。
【０１０９】
第１タッチ信号ｔｃ２がタッチされた状態を示すので、タッチパッドグループＧ２を構成するタッチパッドに接触物体が接触されたことがわかり、第２タッチ信号ｔｆ１、ｔｆ２がタッチされた状態を示すので、結果的にタッチパッドＰ２１、Ｐ２２に接触物体が接触されていることがわかる。
【０１１０】
図示しないが、第１入力信号ｉｎｃ１が印加されるタッチパッドＰ１１、Ｐ２２、・・・、Ｐ６６のうちのいずれにも接触物体が接触されない場合であっても、上述のように遅延時間が最も大きい値を有する遅延信号ｄｉｎｃ１〜ｄｉｎｃ６に対応する第１タッチ信号をタッチされた状態を表示するように構成することで接触位置を把握することができる。例えば、タッチパッドＰ１２、Ｐ１３に接触物体が接触された場合、第１入力信号ｉｎｃ１が印加されるタッチパッドＰ１１、Ｐ２２、・・・、Ｐ６６のうちの接触物体と最も近い位置に配置されたタッチパッドＰ１１に対応する遅延信号ｄｉｎｃ１の遅延時間が大きい値を有することになる。よって、この場合、第１タッチセンサ部２１５はタッチされた状態を示す第１タッチ信号ｔｃ１を出力し、第２タッチセンサ部２２０はタッチされた状態を示す第２タッチ信号ｔｆ２、ｔｆ３を出力するので、タッチパッドＰ１２、Ｐ１３に接触物体が接触されたことがわかる。
【０１１１】
図１３は、本発明のタッチパネルを備える入力装置のさらに他の実施例を示す図であって、タッチパネル１０３、タッチセンサ部２０３、及び計算部３００から構成されている。
【０１１２】
次に、図１３に示すブロックのそれぞれの機能を説明する。
タッチパネル１０３は複数個のタッチパッド（図示せず）から構成され、それぞれのタッチパッドは接触物体の接触可否によってインピーダンス（例えば、キャパシタンス）の値が可変される。上述のように、タッチパッドはＩＴＯフィルムで形成されることができる。また、前記複数個のタッチパッドのそれぞれは、該当するチャネルＣｈ１〜Ｃｈｍに接続され、前記チャネルＣｈ１〜Ｃｈｍはポンディングパッド状に形成されることができる。また、前記複数個のタッチパッドは複数個のタッチパッドグループにグループ化され、それぞれのタッチパッドグループ内部のタッチパッドのうちの一部のタッチパッドに第１入力信号ｉｎｃ１が印加され、残りのタッチパッドには第２入力信号ｉｎｃ２が印加される。
【０１１３】
タッチセンサ部２０３は前記チャネルＣｈ１〜Ｃｈｍに接続され、第１入力信号ｉｎｃ１及び第２入力信号ｉｎｃ２を出力し、前記チャネルＣｈ１〜Ｃｈｍを介して接触物体が、第１入力信号ｉｎｃ１が印加されるタッチパッドに接触されているかを判断して第１タッチ信号ｔｃ１〜ｔｃｎを出力し、前記チャネルＣｈ１〜Ｃｈｍを介して接触物体が第１入力信号ｉｎｃ１及び第２入力信号ｉｎｃ２が印加されるタッチパッドに接触されているかを判断して第２タッチ信号ｔｆ１〜ｔｆｍを出力する。第１タッチ信号ｔｃ１〜ｔｃｎは接触物体がどのタッチパッドグループに接触されているかを示しており、第２タッチ信号ｔｆ１〜ｔｆｍは接触物体がタッチパッドグループ内のどの位置のタッチパッドに接触されているかを示す。
【０１１４】
計算部３００の機能は、図３での説明内容と同一である。
図１４は、図１３に示す本発明のタッチパネルを備える入力装置のさらに他の実施形態のタッチパネル１０３の実施例を示す図であって、６個のタッチパッドグループＧ１〜Ｇ６から構成され、タッチパッドグループＧ１〜Ｇ６のそれぞれは６個のタッチパッド（Ｐ１１〜Ｐ１６）、（Ｐ２１〜Ｐ２６）、・・・、（Ｐ６１〜Ｐ６６）から構成されている。図７の説明のように、タッチパッド下端の抵抗は、コーティング（ｃｏａｔｉｎｇ）方式によって製造されることができ、ＩＴＯフィルムを用いる場合には、ＩＴＯフィルムの端に抵抗型コーティングを行って抵抗を形成することができる。
【０１１５】
タッチパッド（Ｐ１１〜Ｐ１６）、（Ｐ２１〜Ｐ２６）、・・・、（Ｐ６１〜Ｐ６６）のそれぞれは、第１方向（例えば、ｘ軸方向）に配置され、第２方向（例えば、ｙ軸方向）に伸張する。
【０１１６】
タッチパッドグループＧ１〜Ｇ６内の対応する位置に配置されたタッチパッド（Ｐ１１〜Ｐ６１）、（Ｐ１２〜Ｐ６２）、・・・、（Ｐ１６〜Ｐ６６）は該当するチャネルＣｈ１〜Ｃｈ６に共通に接続されていて、タッチパッドグループＧ１〜Ｇ６内の１つずつの第１タッチパッドＰ１１、Ｐ２２、Ｐ３３、Ｐ４４、Ｐ５５、Ｐ６６にタッチセンサ部２０３から出力される第１入力信号ｉｎｃ１が印加され、残りのタッチパッドＰ１２〜Ｐ１６、Ｐ２１、Ｐ２３〜Ｐ２６、Ｐ３１、Ｐ３２、Ｐ３４〜Ｐ３５、Ｐ４１〜Ｐ４３、Ｐ４５、Ｐ４６、Ｐ５１〜Ｐ５４、Ｐ５６、Ｐ６１〜Ｐ６５にタッチセンサ部２０３から出力される第２入力信号ｉｎｃ２が印加される。第１入力信号ｉｎｃ１が印加される第１タッチパッドＰ１１、Ｐ２２、Ｐ３３、Ｐ４４、Ｐ５５、Ｐ６６はそれぞれ互いに異なるチャネルに接続されている。
【０１１７】
図１５は、図１３に示す本発明のタッチパネルを備える入力装置のさらに他の実施形態のタッチセンサ部２０３の実施例を示す図であって、入力信号発生部２１６、６個の接触信号発生部２１７−１〜２１７−６、制御部２３３、及び出力部２４３から構成されていて、６個の接触信号発生部２１７−１〜２１７−６のそれぞれは遅延信号検出部２１７−１１及び比較部２１７−１２から構成されている。また、チャネルＣｈ１〜Ｃｈ６のそれぞれは該当する接触信号発生部２１７−１〜２１７−６に接続されている。
【０１１８】
次に、図１５に示すブロックのそれぞれの機能を説明する。
入力信号発生部２１６は入力信号ｉｎｃを出力する。入力信号ｉｎｃはクロック信号形態とすることができる。６個の接触信号発生部２１７−１〜２１７−６のそれぞれは該当するチャネルＣｈ１〜Ｃｈ６に接続されてチャネルＣｈ１〜Ｃｈ６を介して入力される遅延信号ｄｉｎｃ１〜ｄｉｎｃ６と入力信号ｉｎｃとの遅延時間差を利用してタッチ信号ｔ１〜ｔ６を出力する。遅延信号検出部２１７−１１のそれぞれは該当するチャネルＣｈ１〜Ｃｈ６を介して遅延信号ｄｉｎｃ１〜ｄｉｎｃ６が入力され、遅延信号ｄｉｎｃ１〜ｄｉｎｃ６の信号レベルを判別してパルス遅延信号ｐｄｉｎｃ１〜ｐｄｉｎｃ６を出力する。比較部２１７−１２のそれぞれは該当するパルス遅延信号ｐｄｉｎｃ１〜ｐｄｉｎｃ６と入力信号ｉｎｃとの遅延時間差を比較し、比較結果によって該当するタッチ信号ｔ１〜ｔ６を出力する。この場合、遅延時間差が所定時間以上であれば対応するタッチパッドがタッチされたものと判断し、タッチされた状態を示すタッチ信号ｔ１〜ｔ６を出力するように構成することができる。
【０１１９】
制御部２３３は、入力信号発生部２１６から出力される入力信号ｉｎｃを入力して第１検索モード動作時に前記入力信号ｉｎｃを第１入力信号ｉｎｃ１に出力し、出力部２４３が接触信号発生部２１７−１〜２１７−６から出力されるタッチ信号ｔ１〜ｔ６を第１タッチ信号ｔｃ１〜ｔｃ６に出力するように制御信号ｃｏｎを出力し、第２検索モード動作時に前記入力信号ｉｎｃを第１入力信号ｉｎｃ１及び第２入力信号ｉｎｃ２に出力し、出力部２４３が接触信号発生部２１７−１〜２１７−６から出力されるタッチ信号ｔ１〜ｔ６を第２タッチ信号ｔｆ１〜ｔｆ６に出力するように制御信号ｃｏｎを出力する。制御部２３３は、第１検索モード動作時に第２入力信号ｉｎｃ２が出力される端子を接地させることもでき、フローティング（ｆｌｏａｔｉｎｇ）させることもできる。
【０１２０】
出力部２４３は、前記制御部２３３から出力される制御信号ｃｏｎに応答して前記タッチ信号ｔ１〜ｔ６を第１タッチ信号ｔｃ１〜ｔｃ６に出力するか、または第２タッチ信号ｔｆ１〜ｔｆ６に出力する。
【０１２１】
すなわち、図１５に示すタッチセンサ部２０３は、第１検索モード動作時に第１入力信号ｉｎｃ１をタッチパネル１０３に出力し、チャネルＣｈ１〜Ｃｈ６を介して遅延信号ｄｉｎｃ１〜ｄｉｎｃ６を入力して複数個のタッチパッドグループのうちのどのタッチパッドグループに属したタッチパッドに接触物体が接触されているかを表示する第１タッチ信号ｔｃ１〜ｔｃ６を出力し、第２検索モード動作時に第１入力信号ｉｎｃ１及び第２入力信号ｉｎｃ２をタッチパネル１０３に出力し、チャネルＣｈ１〜Ｃｈ６を介して遅延信号ｄｉｎｃ１〜ｄｉｎｃ６を入力してタッチパッドグループ内においてどの位置のタッチパッドに接触物体が接触されているかを表示する第２タッチ信号ｔｆ１〜ｔｆ６を出力する。
【０１２２】
図５に説明したように、接触信号発生部２１７−１〜２１７−６のそれぞれは該当する遅延信号ｄｉｎｃ１〜ｄｉｎｃ６と入力信号ｉｎｃとの遅延時間差を出力するように構成することもでき、この場合、出力部２４３はタッチ信号ｔ１〜ｔ６のうちの最も大きい遅延時間差を表示するタッチ信号に対応する第１タッチ信号のみをタッチされた状態を表示するように構成することもできる。また、図５に説明したように、接触信号発生部２１７−１〜２１７−６がタッチ信号ｔ１〜ｔ６のうちのいずれかの１つのタッチ信号のみをタッチされた状態を表示するように構成することもできる。
【０１２３】
図１６ないし図１９は、図１３ないし図１５に示す本発明のタッチパネルを備える入力装置のさらに他の実施形態の動作を説明するための図であって、タッチパネル１０３のタッチパッドグループＧ１、Ｇ２だけを示す。図１６は接触物体がタッチパッドＰ１１、Ｐ１２に接触された場合の第１検索モード動作を、図１７は接触物体がタッチパッドＰ１１、Ｐ１２に接触された場合の第２検索モード動作を、図１８は接触物体がタッチパッドＰ２１、Ｐ２２に接触された場合の第１検索モード動作を、図１９は接触物体がタッチパッドＰ２１、Ｐ２２に接触された場合の第２検索モード動作をそれぞれ説明するための図であって、図１６ないし図１９の楕円で表示された部分は接触物体によって接触された部分を示す。
【０１２４】
次に、図１６ないし図１９を参考して、本発明のタッチパネルを備える入力装置のさらに他の実施形態の動作を説明する。
【０１２５】
まず、図１６に示すように、第１検索モード動作時にタッチセンサ部２０３の制御部２３３はタッチパネル１０３に第１入力信号ｉｎｃ１を出力し、接触信号発生部２１７−１〜２１７−６はチャネルＣｈ１〜Ｃｈ６を介して入力される遅延信号ｄｉｎｃ１〜ｄｉｎｃ６及び入力信号ｉｎｃを入力して第１入力信号ｉｎｃ１が印加されるタッチパッドＰ１１、Ｐ２２、・・・、Ｐ６６の接触可否を検出する。図９で説明したように、タッチパッドＰ１１には接触物体が接触されているが、タッチパッドＰ２２には接触物体が接触されていないため、遅延信号ｄｉｎｃ１と入力信号ｉｎｃとの遅延時間差は大きい値を有するのに対して、遅延信号ｄｉｎｃ２と入力信号ｉｎｃとの遅延時間差は相対的に小さい値を有する。よって、タッチセンサ部２０３の接触信号発生部２１７−１はタッチされた状態を示すタッチ信号ｔ１を出力し、残りの接触信号発生部２１７−２〜２１７−６はタッチされない状態を示すタッチ信号ｔ２〜ｔ６を出力する。出力部２４３は前記タッチ信号ｔ１〜ｔ６を第１タッチ信号ｔｃ１〜ｔｃ６に出力する。すなわち、第１タッチ信号ｔｃ１はタッチされた状態を示し、第１タッチ信号ｔｃ２〜ｔｃ６はタッチされない状態を示す。
【０１２６】
次に、図１７に示すように、第２検索モード動作時にタッチセンサ部２０３はタッチパッドグループＧ１〜Ｇ６内においてどの位置のタッチパッドが接触されているかを判断して第２タッチ信号ｔｆ１〜ｔｆ６を出力する。タッチパッドＰ１１、Ｐ１２に接触物体が接触されているので、タッチセンサ部２０３はタッチされた状態を示す第２タッチ信号ｔｆ１、ｔｆ２及びタッチされない状態を示す第２タッチ信号ｔｆ３〜ｔｆ６を出力する。第２検索モード動作時のタッチセンサ部２０３の動作は図１６の説明を参照することでよく理解することができる。
【０１２７】
すなわち、タッチセンサ部２０３は第１検索モード動作を行うことでタッチされた状態を表示する第１タッチ信号ｔｃ１を出力し、第２検索モード動作を行うことでタッチされた状態を表示する第２タッチ信号ｔｆ１、ｔｆ２を出力する。すなわち、第１検索モード動作を行うことで複数個のタッチパッドグループのうちのタッチパッドグループＧ１に含まれたタッチパッドに接触物体が接触されたことがわかり、第２検索モード動作を行うことでタッチパッドグループを構成するタッチパッドのうちの左側から一番目及び二番目のタッチパッドに接触物体が接触されていることがわかる。結果的には、タッチパッドＰ１１、Ｐ１２に接触物体が接触されていることがわかる。上述のように、本発明のタッチパネルを備える入力装置は、前記第１タッチ信号ｔｃ１〜ｔｃ６及び第２タッチ信号ｔｆ１〜ｔｆ６を出力するように構成することができ、計算部３００を備えてタッチパッドＰ１１、Ｐ１２に対応する座標の位置を出力するように構成することもできる。
【０１２８】
図１８に示すように、タッチパッドＰ２２に接触物体が接触されているので、チャネルＣｈ２を介して出力される遅延信号ｄｉｎｃ２の遅延時間は大きい値を有するが、他のチャネルＣｈ１、Ｃｈ３〜Ｃｈ６を介して出力される遅延信号ｄｉｎｃ１、ｄｉｎｃ３〜ｄｉｎｃ６の遅延時間は相対的小さい値を有することになる。よって、タッチセンサ部２０３は、第１検索モード動作時にタッチされた状態を示す第１タッチ信号ｔｃ２及びタッチされない状態を示す第１タッチ信号ｔｃ１、ｔｃ３〜ｔｃ６を出力する。
【０１２９】
次に、図１９を参照すると、図１７に説明したようにタッチセンサ部２０３は、第２検索モード動作時にタッチされた状態を示す第２タッチ信号ｔｆ１、ｔｆ２及びタッチされない状態を示す第２タッチ信号ｔｆ３〜ｔｆ６を出力する。
【０１３０】
第１タッチ信号ｔｃ２がタッチされた状態を示すため、タッチパッドグループＧ２を構成するタッチパッドに接触物体が接触されていることがわかり、第２タッチ信号ｔｆ１、ｔｆ２がタッチされた状態を示すため、結果的にタッチパッドＰ２１、Ｐ２２に接触物体が接触されていることがわかる。
【０１３１】
図示しないが、上述のように、第１入力信号ｉｎｃ１が印加されるタッチパッドＰ１１、Ｐ２２、・・・、Ｐ６６のうちのいずれにも接触物体が接触されない場合であっても、遅延時間が最も大きい値を有する遅延信号ｄｉｎｃ１〜ｄｉｎｃ６に対応する第１タッチ信号がタッチされた状態を表示するように構成することで、接触位置を把握することができる。
【０１３２】
以上では、タッチパネルを備える入力装置からｘ軸方向の接触位置を把握することについて説明したが、棒状のタッチパッドが直交するように配置し、ｘ軸及びｙ軸の方向に対してそれぞれ本発明を適用して平面上で接触位置の座標を把握するように構成することができる。この場合、垂直方向に配置されたタッチパッドと水平方向に配置されたタッチパッドをＩＴＯフィルムの互いに異なる面に形成することができ、または同一面に形成されて交差する部分が絶縁するように形成することもできる。
【０１３３】
図２０は本発明のタッチパネルを備える入力装置の計算部３００のスクロール動作方法を説明するための図であって、楕円に表示された部分は接触物体が接触された部分を示す。また、図２１は本発明のタッチパネルを備える入力装置の計算部３００のスクロール動作方法の概念を説明するための図である。
【０１３４】
次に、図２０及び図２１を参考して計算部３００のスクロール動作方法を説明する。
計算部３００は、スクロールが動作する場合には、上記の方法を用いて接触物体の接触位置の座標を計算してスクロール動作を行うことができるが、第２検索モード動作時に出力された第２タッチ信号ｔｆ１〜ｔｆｍだけを用いてスクロール動作を行うこともできる。以下では、後者の方法を説明する。
【０１３５】
まず、図２０及び図２１に示すように、タッチパッドＰ１１、Ｐ２１、・・・、Ｐ６１が接触された場合を「１」、タッチパッドＰ１２、Ｐ２２、・・・、Ｐ６２が接触された場合を「２」、タッチパッドＰ１３、Ｐ２３、・・・、Ｐ６３が接触された場合を「３」、タッチパッドＰ１４、Ｐ２４、・・・、Ｐ６４が接触された場合を「４」、タッチパッドＰ１５、Ｐ２５、・・・、Ｐ６５が接触された場合を「５」、タッチパッドＰ１６、Ｐ２６、・・・、Ｐ６６が接触された場合を「６」であると定義する。接触位置が時計方向に移動すればスクロール方向が左から右であることを意味し、接触位置が反時計方向に移動すればスクロール方向が右から左であることを意味する。
【０１３６】
図２０を参考して例を挙げて説明する。
Ａ１の場合にはタッチパッドＰ１２、Ｐ１３、Ｐ１４に接触物体が接触されているので、第２検索モード動作を行えば、タッチセンサ部はタッチされた状態を示す第２タッチ信号ｔｆ２、ｔｆ３、ｔｆ４を出力し、Ａ２の場合にはタッチパッドＰ１３、Ｐ１４、Ｐ１５に接触物体が接触されているので、第２検索モード動作を行えば、タッチセンサ部はタッチされた状態を示す第２タッチ信号ｔｆ３、ｔｆ４、ｔｆ５を出力する。もし接触物体がＡ１からＡ２に移動すると「２」、「３」、「４」から「３」、「４」、「５」に時計方向に移動するので、スクロール方向が左から右であることがわかる。
【０１３７】
Ｂ１の場合にはタッチパッドＰ２４、Ｐ２５、Ｐ２６に接触物体が接触されているので、第２検索モード動作を行えばタッチセンサ部はタッチされた状態を示す第２タッチ信号ｔｆ４、ｔｆ５、ｔｆ６を出力し、同様に、Ｂ２の場合にはタッチされた状態を示す第２タッチ信号ｔｆ５、ｔｆ６、ｔｆ１を出力する。接触物体がＢ１からＢ２に移動すると「４」、「５」、「６」から「５」、「６」、「１」に時計方向に移動するので、スクロール方向が左から右であることがわかる。
【０１３８】
Ｃ１の場合にはタッチされた状態を示す第２タッチ信号ｔｆ６、ｔｆ１、ｔｆ２が出力されて、Ｃ２の場合にはタッチされた状態を示す第２タッチ信号ｔｆ１、ｔｆ２、ｔｆ３、ｔｆ４が出力される。接触物体がＣ１からＣ２に移動すると「６」、「１」、「２」から「１」、「２」、「３」、「４」と時計方向に移動するので、スクロール方向が左から右であることがわかる。
【０１３９】
Ｄ１の場合にはタッチされた状態を示す第２タッチ信号ｔｆ２が出力され、Ｄ２の場合にはタッチされた状態を示す第２タッチ信号ｔｆ１、ｔｆ２、ｔｆ３が出力される。この場合には、「２」から「１」、「２」、「３」に移動するので、無効動作であると判断することができる。
【０１４０】
図６ないし図８に示す本発明のタッチパネルを備えた入力装置の他の実施形態が図２０及び図２１で説明した方法であって、スクロール動作だけを実行するように構成した場合、タッチパネル１０２のタッチパッドＰ１１、Ｐ２２、・・・、Ｐ６６に入力信号ｉｎｃ１が入力される必要がなく、タッチセンサ部２０２は第２タッチセンサ部２２０だけで構成されることができる。また、図１３ないし図１５に示す本発明のタッチパネルを備えた入力装置のさらに他の実施形態が図２０及び図２１で説明した方法であって、スクロール動作だけを実行するように構成した場合、第１入力信号ｉｎｃ１と第２入力信号ｉｎｃ２とを区分せず、同一の入力信号がすべてのタッチパッド（Ｐ１１、Ｐ１２、・・・、Ｐ１６）、（Ｐ２１、Ｐ２２、・・・、Ｐ２６）、・・・、（Ｐ６１、Ｐ６２、・・・、Ｐ６６）に入力されるように構成することができる。
【０１４１】
上記の図１、２、４、７、９ないし１２、１４、及び１６ないし２０では、説明の便宜上にタッチパッドが棒状に実現される場合を例示したが、タッチパッドは多様な形態に実現されることができる。例えば、タッチパッドの一端と他端とが、接触物体の接触される面積が異なるように、すなわち、奇数番目のタッチパッドは一端から他端に向かうほど接触物体の接触される面積が広くなるように実現し、偶数番目のタッチパッドは一端から他端に向かうほど接触物体の接触される面積が細くなるように実現することができる。
【０１４２】
また、上述の図面では、第１方向（例えば、Ｘ軸方向）に対する接触位置を検出することができるタッチパネルを例示したが、本発明のタッチパネルは第１方向（例えば、Ｘ軸方向）だけでなく、第２方向（例えば、Ｙ軸方向）に対する接触位置も検出することができるように第２方向（例えば、Ｙ軸方向）に対する接触位置を検出するためのタッチパッドが形成された別途のレイヤ（ｌａｙｅｒ）をさらに備えて構成することができる。すなわち、本発明のタッチパネルは、図４、図７、及び図１４に示す構成を有するタッチパッドが形成された別途のレイヤをさらに備えて構成することができる。この場合、前記別途のレイヤの形成されたタッチパッドはＸ軸に対する接触位置を検出するための既存のレイヤのタッチパッドと異なった方向に配置されるように（例えば、既存のレイヤのタッチパッドと前記別途のレイヤのタッチパッドが直交するように）形成してＹ軸に対する接触位置を検出するのに利用される。
【０１４３】
タッチパネルがＹ軸に対する接触位置を検出するための別途のレイヤをさらに備えた場合、タッチセンサ部は既存のレイヤに形成されたタッチパッドのタッチ可否と別途のレイヤに形成されたタッチパッドのタッチ可否を順に検出するように構成することができ、また別途のレイヤに形成されたタッチパッドのタッチ可否を検出するための追加的なタッチセンサ回路を備えて構成することもできる。
【０１４４】
また、本発明のタッチパネルは１つのレイヤを用いてＸ軸だけでなく、Ｙ軸に対する接触位置も検出するように構成することができる。
【０１４５】
また、本発明のタッチパネルを備えた入力装置の計算部３００は、タッチパネル及びタッチセンサ部がＸ軸及びＹ軸に対する接触位置を検出するように構成された場合、タッチセンサ部から出力されるタッチ信号を入力して平面上の接触位置の座標に対応する座標コードを出力するように構成することができる。
【０１４６】
図２２ないし図２４は、本発明のタッチパネルを備える入力装置のタッチパネルの実施形態を示すものであって、タッチパネルがＹ軸に対する接触位置を検出するためのタッチパッドが形成された別途のレイヤをさらに備えて構成された場合を示す図である。図２２ないし図２４において、斜線でハッチングされたラインはｘ軸座標を求めるためのタッチパッドを示し、点でハッチングされたラインはｙ軸座標を求めるためのタッチパッドを示す。
【０１４７】
本発明のタッチパネルを備える入力装置のタッチパネルのタッチパッドは、図４、図７及び図１４に示すように棒状のタッチパッドを用いることもできるが、図２２ないし図２４に示すようにタッチパッドのそれぞれにおいて接触される面積を増加させるために、図２２ないし２４に示したパターンを有するように形成することができる。すなわち、ｘ軸座標を求めるために、ｘ軸方向に配置され、ｙ軸方向に伸張するタッチパッドＰｘ１１、Ｐｘ１２、・・・のそれぞれはｘ軸方向に所定の第１長さを有し、ｙ軸方向に所定の第２長さを有する所定の領域内に形成され、タッチパッドＰｘ１１、Ｐｘ１２、・・・のそれぞれの延長長さが前記第２長さよりも長く形成されるようにするために所定のパターン（例えば、図２２ないし２４に示したように、傾斜されたジグザグ（ｚｉｇｚａｇ）模様を有するパターンを有するように形成することができ、ｙ軸座標を求めるために、ｙ軸方向に配置され、ｘ軸方向に伸張するタッチパッドＰｙ１１、Ｐｙ１２、・・・のそれぞれはｙ軸方向に所定の第３長さを有し、ｘ軸方向に所定の第４長さを有する所定の領域内に形成され、タッチパッドＰｙ１１、Ｐｙ１２、・・・のそれぞれの延長長さが前記第４長さよりも長く形成されるようにするために前記所定のパターンを有するように形成することができる。
【０１４８】
図２２ないし２４に示したタッチパネルの場合、タッチパッドＰｘ１１、Ｐｘ１２、・・・のそれぞれは、前記所定のパターンがｙ軸方向に繰り返し形成され、タッチパッドＰｙ１１、Ｐｙ１２、・・・のそれぞれは前記所定のパターンがｘ軸方向に繰り返し形成される。また、タッチパッドＰｘ１１、Ｐｘ１２、・・・のそれぞれは前記所定のパターンが同一のｙ軸上の位置に配置されるようにｘ軸方向に配置され、タッチパッドＰｙ１１、Ｐｙ１２、・・・のそれぞれは前記所定のパターンが同一のｘ軸上の位置に配置されるようにｙ軸方向に配置される。
【０１４９】
図２２に示すタッチパネルの場合、タッチパッドＰｘ１１、Ｐｘ１２、・・・、Ｐｙ１１、Ｐｙ１２、・・・のそれぞれは、タッチパッドＰｘ１１、Ｐｘ１２、・・・のそれぞれの前記所定のパターンとタッチパッドＰｙ１１、Ｐｙ１２、・・・のそれぞれの前記所定のパターンとが重複しないように配置されるように、すなわち、タッチパッドＰｘ１１、Ｐｘ１２、・・・のそれぞれの前記所定のパターンのそれぞれがタッチパッドＰｙ１１、Ｐｙ１２、・・・のそれぞれの前記所定のパターンとの間の空間に配置されるように配置され、タッチパッドＰｘ１１、Ｐｘ１２、・・・のそれぞれとタッチパッドＰｙ１１、Ｐｙ１２、・・・のそれぞれとにおいて、前記所定のパターンのそれぞれとの間、すなわち、前記所定のパターンのそれぞれを接続する部分が交差されている。
【０１５０】
図２３に示すタッチパネルの場合、タッチパッドＰｘ１１、Ｐｘ１２、・・・、Ｐｙ１１、Ｐｙ１２、・・・のそれぞれは、前記所定パターンが互いに絡まれて形成されるように配置され、タッチパッドＰｙ１１、Ｐｙ１２、・・・のそれぞれの前記所定パターンのそれぞれとの間、すなわち、前記所定のパターンのそれぞれを接続する部分とタッチパッドＰｘ１１、Ｐｘ１２、・・・それぞれの前記所定パターンとの一部分が交差されている。
【０１５１】
図２４に示したタッチパネルの場合、タッチパッドＰｘ１１、Ｐｘ１２、・・・、Ｐｙ１１、Ｐｙ１２、・・・それぞれは前記所定パターンが互いに絡まれて形成されるように配置され、タッチパッドＰｙ１１、Ｐｙ１２、・・・のそれぞれの前記所定のパターンのそれぞれとの間、すなわち、前記所定パターンのそれぞれを接続する部分とタッチパッドＰｘ１１、Ｐｘ１２、・・・のそれぞれの前記所定パターンの一部分とが交差され、タッチパッドＰｘ１１、Ｐｘ１２、・・・のそれぞれの前記所定パターンのそれぞれとの間、すなわち、前記所定パターンのそれぞれを接続する部分とタッチパッドＰｙ１１、Ｐｙ１２、・・・のそれぞれの前記所定パターンの一部分とが交差されている。
【０１５２】
図２２ないし図２４に示すタッチパネルにおいて、タッチパッドＰｘ１１、Ｐｘ１２、・・・とタッチパッドＰｙ１１、Ｐｙ１２、・・・は一つのＩＴＯフィルムの両面に形成されることができる。すなわち、タッチパッドＰｘ１１、Ｐｘ１２、・・・はＩＴＯフィルムの前面に、タッチパッドＰｙ１１、Ｐｙ１２、・・・はＩＴＯフィルムの後面にそれぞれ形成されることができる。また、タッチパッドＰｘ１１、Ｐｘ１２、・・・及びタッチパッドＰｙ１１、Ｐｙ１２、・・・はＩＴＯフィルムの片面にすべて形成されることができる。この場合、タッチパッドＰｘ１１、Ｐｘ１２、・・・のそれぞれとタッチパッドＰｙ１１、Ｐｙ１２、・・・のそれぞれが交差する部分を絶縁するように形成しなければならない。
【０１５３】
本発明のタッチパネル及びこれを備えた入力装置のタッチパネルは、図２２ないし２４に例示した形態だけでなく、多様な形態に変形して実施することができる。
【０１５４】
図２５、図２７、及び図２８は、本発明のタッチパネルを備える入力装置のタッチパネルの他の実施形態を示す図であって、１つのコンダクティブレイヤ（ｃｏｎｄｕｃｔｉｖｅ  ｌａｙｅｒ）を用いてＸ軸だけなく、Ｙ軸に対する接触位置も把握することができるタッチパネルの実施形態を示す図である。
【０１５５】
図２５は、本発明のタッチパネルを備える入力装置のタッチパネルの他の実施形態の第１の態様を示す図であって、タッチパネルは第１方向（例えば、ｘ軸方向）に配置された複数個の第１電極Ｐｘ１、Ｐｘ２、・・・及び前記第１方向に前記複数個の第１電極Ｐｘ１、Ｐｘ２、・・・のそれぞれとの間に配置された複数個の第２電極Ｐｙ１、Ｐｙ２、・・・から構成されていて、複数個の第２電極Ｐｙ１、Ｐｙ２、・・・のそれぞれは、前記第１方向と直交する第２方向（例えば、ｙ軸方向）に配置された複数個のタッチパッド（Ｐｙ１１、Ｐｙ１２、・・・）、（Ｐｙ２１、Ｐｙ２２、・・・）、・・・及び前記複数個のタッチパッドのそれぞれを接続する接続パッド（ＣＰ１１、ＣＰ１２、・・・）、（ＣＰ２１、ＣＰ２２、・・・）、・・・から構成されている。また、複数個の第１電極Ｐｘ１、Ｐｘ２、・・・の一端は第１送信チャネルＣｈ１＿０と第１受信チャネルＣｈ１＿１を接続する第１接続線ＣＬ１に接続されていて、複数個の第２電極Ｐｙ１、Ｐｙ２、・・・の一端は第２送信チャネルＣｈ２＿０と第２送信接続線ＣＬ２＿０を介して接続されていて、他端は第２受信チャネルＣｈ２＿１と第２受信接続線ＣＬ２＿１を介して接続されている。
【０１５６】
第１電極Ｐｘ１、Ｐｘ２、・・・は低い抵抗成分を有するように形成され、第１接続線ＣＬ１は高い抵抗成分を有するように形成される。例えば、第１接続線ＣＬ１は第１電極Ｐｘ１、Ｐｘ２、・・・と異なる性質を有する物質を用いて形成することができ、または第１接続線ＣＬ１は第１電極Ｐｘ１、Ｐｘ２、・・・と同一性質を有する物質を用いて形成することができるが、複数回のカーブが発生されるように（すなわち、ジグザグ模様になるように）形成して距離が長くなるように形成するか、または幅が細くなるように形成することができる。第２送信接続線ＣＬ２＿０及び第２受信接続線ＣＬ２＿１は、メタル（ｍｅｔａｌ）またはメタルのように低い抵抗成分を有する物質、すなわち高い伝導性を有する物質で形成することができる。また、第１電極Ｐｘ１、Ｐｘ２、・・・と第２電極Ｐｙ１、Ｐｙ２、・・・は、ＩＴＯフィルムを用いて形成することができ、この場合、第１電極Ｐｘ１、Ｐｘ２、・・・と第２電極Ｐｙ１、Ｐｙ２、・・・を１つのＩＴＯフィルムに形成することができ、それぞれを別途のＩＴＯフィルムに形成することもできる。万一、図２５に示すタッチパネルをＬＣＤまたはＯＬＥＤ上に形成する場合、第２電極Ｐｙ１、Ｐｙ２、・・・はＬＣＤまたはＯＬＥＤ上のＩＴＯフィルムに形成し、第１電極Ｐｘ１、Ｐｘ２、・・・はＬＣＤまたはＯＬＥＤのブラックマトリックス（ｂｌａｃｋ  ｍａｔｒｉｘ）を用いて形成することができる。
【０１５７】
また、第２電極Ｐｙ１、Ｐｙ２、・・・を構成するタッチパッド（Ｐｙ１１、Ｐｙ１２、・・・）、（Ｐｙ２１、Ｐｙ２２、・・・）、・・・は接触物体の接触が容易とするために大きくするので、接続パッド（ＣＰ１１、ＣＰ１２、・・・）、（ＣＰ２１、ＣＰ２２、・・・）、・・・よりも抵抗値が小さくなる。
【０１５８】
図２６は、図２５に示すタッチパネルの他の実施形態を用いる場合のタッチセンサを示す図であって、タッチセンサ２５０は、入力信号発生部２５１、遅延時間検出部２５２及び接触位置検出部２５５から構成されていて、遅延時間検出部２５２は遅延信号検出部２５３及び比較部２５４から構成されている。
【０１５９】
次に、図２６に示すブロックのそれぞれの機能を説明する。
入力信号発生部は入力信号ｉｎｃを出力する。入力信号ｉｎｃはクロック信号形態を有することができる。前記入力信号ｉｎｃは第１送信チャネルＣｈ１＿０を介してタッチパネルに出力されるとともに、比較部２５４にも出力される。
【０１６０】
遅延時間検出部２５２は、第１受信チャネルＣｈ１＿１を介して入力された遅延信号ｄｉｎｃ及び入力信号ｉｎｃとの遅延時間差を検出し、検出された遅延時間差ＤＴを出力する。遅延信号検出部２５３は遅延信号ｄｉｎｃを入力し、遅延信号ｄｉｎｃの信号レベルを判別してパルス遅延信号ｐｄｉｎｃを出力する。比較部２５４は前記パルス遅延信号ｐｄｉｎｃと入力信号ｉｎｃを入力して入力信号ｉｎｃに対するパルス遅延信号ｐｄｉｎｃの遅延時間ＤＴを出力する。
【０１６１】
接触位置検出部２５５は前記遅延時間ＤＴを入力して遅延時間ＤＴに対応する座標コードＣｃｏｄｅを出力する。
【０１６２】
第２送信チャネルＣｈ２＿０及び第２受信チャネルＣｈ２＿１に接続されるタッチセンサも、図２６に示すタッチセンサ２５０と同じ構成を有することができる。すなわち、本発明のタッチパネルの他の実施形態を備える入力装置は、図２５に示すタッチパネル、第１送信チャネルＣｈ１＿０及び第１受信チャネルＣｈ１＿１に接続された第１タッチセンサ部、及び第２送信チャネルＣｈ２＿０及び第２受信チャネルＣｈ２＿１に接続された第２タッチセンサ部で構成され、第１タッチセンサ部及び第２タッチセンサ部は図２６に示すタッチセンサを備えて構成される。
【０１６３】
次に、図２５及び図２６を参考して、本発明のタッチパネルの他の実施形態を備える入力装置の動作を説明する。
【０１６４】
まず、第１検索モード動作時にタッチセンサ２５０は第１送信チャネルＣｈ１＿０を介して入力信号ｉｎｃを出力し、第１受信チャネルＣｈ１＿１を介して遅延信号ｄｉｎｃを入力する。前記遅延信号ｄｉｎｃの遅延時間は接触物体が接触された第１電極までの第１接続線ＣＬ１の抵抗と接触物体のキャパシタンスによって決定されるので、前記遅延時間を検出することで接触物体が第１電極Ｐｘ１、Ｐｘ２、・・・のうちのどの第１電極に接触されているかを把握することができる。よって、タッチセンサ２５０は入力信号と遅延信号との遅延時間差を検出することで、ｘ軸上での接触位置を把握することができる。また、タッチセンサ２５０は、まずは第１送信チャネルＣｈ１＿０を介して入力信号を出力し、第１受信チャネルＣｈ１＿１を介して遅延信号を入力して前記入力信号と前記遅延信号との第１遅延時間差を検出し、次に第１受信チャネルＣｈ１＿１を介して入力信号を追加的に出力し、第１送信チャネルＣｈ１＿０を介して遅延信号を追加的に入力して前記追加的に入出力された入力信号と前記遅延信号との第２遅延時間差を検出し、前記第１及び第２遅延時間差のそれぞれに対応するｘ軸上での接触位置を計算し、２つの接触位置の平均を利用してｘ軸上での接触位置を把握するように構成することができる。
【０１６５】
次に、第２検索モード動作時にタッチセンサ２５０は第２送信チャネルＣｈ２＿０を介して入力信号を出力し、第２受信チャネルＣｈ２＿１を介して遅延信号を入力して前記入力信号と前記遅延信号との遅延時間差を検出してｙ軸上での接触位置を把握することができる。すなわち、第２受信チャネルＣｈ２＿１を介して入力される遅延信号の遅延時間は、接触物体が接触された位置までの第２電極の抵抗値によって変化される。よって、タッチセンサ２５０は、第２受信チャネルＣｈ２＿１を介して入力される遅延信号と入力信号との遅延時間差を検出してｙ軸上での接触位置を把握することができる。また、タッチセンサ２５０は、第１検索モード動作と同一方法で第２送信チャネルＣｈ２＿０を介して入力信号を出力し、第２受信チャネルＣｈ２＿１を介して遅延信号を入力して前記入力信号と遅延信号との第１遅延時間差を検出し、再び第２受信チャネルＣｈ２＿１を介して入力信号を追加的に出力し、第２送信チャネルＣｈ２＿０を介して遅延信号を追加的に入力して前記追加的に入出力された入力信号と遅延信号との第２遅延時間差を検出して前記第１遅延時間差と前記第２遅延時間差を利用してｙ軸上での接触位置を把握することができる。
【０１６６】
すなわち、本発明のタッチパネルを備える入力装置は、図２５に示すタッチパネルを用いて第１検索モード動作を行うことで、ｘ軸上での接触位置を把握し、第２検索モード動作を行うことで、ｙ軸上での接触位置を把握して平面上での接触位置の座標を把握することができる。第１検索モード動作及び第２検索モード動作は順に行うこともでき、同時に行うこともできる。順に行う場合、第１検索モード動作を先に行うこともでき、第２検索モード動作を先に行うこともできる。
【０１６７】
図２７は本発明のタッチパネルの他の実施形態の第２の態様を示すものであって、第２電極Ｐｙ１、Ｐｙ２、・・・が第２送信チャネルＣｈ２＿０及び第２受信チャネルｃｈ２＿１と第３送信チャネルＣｈ３＿０及び第３受信チャネルＣｈ３＿１に相互接続されていること以外は図２５の構成と同一である。すなわち、第２電極Ｐｙ１、Ｐｙ２、・・・のうちの奇数番目の第２電極Ｐｙ１、Ｐｙ３、・・・の一端は第２送信チャネルＣｈ２＿０と第２送信接続線ＣＬ２＿０を介して接続され、他端は第２受信チャネルＣｈ２＿１と第２受信接続線ＣＬ２＿１を介して接続され、偶数番目の第２電極Ｐｙ２、Ｐｙ４、・・・の一端は第３送信チャネルＣｈ３＿０と第３送信接続線ＣＬ３＿０を介して接続され、他端は第３受信チャネルＣｈ３＿１と第３受信接続線ＣＬ３＿１を介して接続される。前記第２送信接続線ＣＬ２＿０、第２受信接続線ＣＬ２＿１、第３送信接続線ＣＬ３＿０、及び第３受信接続線ＣＬ３＿１はメタルまたはメタルのような低い抵抗成分を有する物質、すなわち高い伝導性を有する物質で形成されることができる。
【０１６８】
また、図２６のタッチセンサは、図２７のタッチパネルを用いる入力装置にも利用することができる。すなわち、本発明の入力装置が、図２７に示すタッチパネルの他の実施形態の第２の態様を備える場合、本発明の入力装置は図２７に示すタッチパネル、第１送信チャネルＣｈ１＿０及び第１受信チャネルＣｈ１＿１に接続された第１タッチセンサ部、及び第２送信チャネルＣｈ２＿０及び第２受信チャネルＣｈ２＿１に接続された第２奇数タッチセンサ部、第３送信チャネルＣｈ３＿０及び第３受信チャネルＣｈ３＿１に接続された第２偶数タッチセンサ部を備えて構成することができ、前記第１タッチセンサ部、前記第２奇数タッチセンサ部、及び前記第２偶数タッチセンサ部のそれぞれは図２６に示すタッチセンサを備えて構成することができる。この場合、本発明の入力装置は、第２奇数タッチセンサ部から出力された第２奇数座標値と第２偶数タッチセンサ部から出力された第２偶数座標値との中間値をタッチ位置に対する座標値に出力する出力部をさらに備えて構成することもできる。
【０１６９】
また、本発明の入力装置は、第２奇数タッチセンサ部及び第２偶数タッチセンサ部の代わりに１つの第２タッチセンサ部だけを備えて構成することができ、この場合前記第２タッチセンサ部は先に第２送信チャネルＣｈ２＿０及び第２受信チャネルＣｈ２＿１に接続されてタッチ位置を検知し、次に第３送信チャネルＣｈ３＿０及び第３受信チャネルＣｈ３＿１に接続されてタッチ位置を検知するように構成することもできる。また、上述のように、第２タッチセンサ部は、第２送信チャネルＣｈ２＿０及び第２受信チャネルＣｈ２−１を介して検知したタッチ位置と第３送信チャネルＣｈ３＿０及び第３受信チャネルＣｈ３＿１を介して検知したタッチ位置の中間位置に対応する座標値を出力するように構成することもできる。
【０１７０】
次に、図２７に示すタッチパネルの他の実施形態の第２の態様を用いた場合のタッチパネルを備える入力装置の動作を説明する。
【０１７１】
第１検索モード動作は、図２５及び図２６での説明内容と同一である。
第２検索モード動作も、タッチセンサ部が第２送信チャネルＣｈ２＿０及び第３送信チャネルＣｈ３＿０を介して入力信号をタッチパッド部に印加し、第２受信チャネルＣｈ２＿１及び第３受信チャネルＣｈ３＿１を介して遅延信号を入力すること以外は図２５及び図２６での説明内容と同一である。
【０１７２】
すなわち、図２７に示すタッチパネルは、接触物体が大きくて２つの第２電極（例えば、Ｐｙ１とＰｙ２）のそれぞれに形成された２つのタッチパッド（例えば、Ｐｙ１１とＰｙ２１）に接触物体が接触された場合にも安定的に動作することができるとともに、解像度も改善させることができる。また、図２５での説明内容のように、本発明のタッチパネルの他の実施形態の第２の態様を備えた入力装置は第１検索モード動作と第２検索モード動作とを順にまたは同時に行うことができる。
【０１７３】
図２８は本発明のタッチパネルを備える入力装置のタッチパネルの他の実施形態の第３の態様を示す図であって、複数個の第２電極Ｐｙ１、Ｐｙ２、・・・のそれぞれが複数個の送信及び受信チャネル（Ｃｈ２＿０、Ｃｈ２＿１）、（Ｃｈ３＿０、Ｃｈ３＿１）、・・・のうちの該当するチャネルに接続されていること以外は、図２５に示した構成と同一である。すなわち、複数個の第２電極Ｐｙ１、Ｐｙ２、・・・のそれぞれの一端は複数個の送信チャネルＣｈ２＿０、Ｃｈ３＿０、・・・のうちの該当する送信チャネルに接続され、他端は複数個の受信チャネルＣｈ２＿１、Ｃｈ３＿１、・・・のうちの該当する受信チャネルに接続される。
【０１７４】
また、上述したように、図２６に示すタッチセンサ２５０は、図２８に示すタッチパネルの他の実施形態の第３の態様を備える入力装置の場合にも用いることができる。この場合、本発明の入力装置は、複数個の送信及び受信チャネルＣｈ２＿０、Ｃｈ２＿１、Ｃｈ３＿０、Ｃｈ３＿１、・・・のそれぞれに接続される複数個のタッチセンサを備えるように構成することができ、複数個の送信及び受信チャネルＣｈ２＿０、Ｃｈ２＿１、Ｃｈ３＿０、Ｃｈ３＿１、・・・のうちの１つに選択的に接続される１つのタッチセンサを備えるように構成することもできる。
【０１７５】
次に、図２８に示すタッチパネルの他の実施形態の第３の態様を備える入力装置の動作を説明する。
【０１７６】
第１検索モード動作は、図２５及び図２６での説明内容と同一である。
第２検索モード動作は、第１検索モード動作を行った結果に従って複数個のチャネル対Ｃｈ２＿０、Ｃｈ２＿１、Ｃｈ３＿０、Ｃｈ３＿１、・・・のうちの一部を選択して実行される。例えば、第１検索モード動作を行ったところ、第１電極Ｐｘ２に接触物体が接触されたと判断された場合、タッチセンサ部は接触物体が接触された第１電極Ｐｘ２に対応するチャネル対Ｃｈ３＿０、Ｃｈ３＿１または、チャネル対Ｃｈ２＿０、Ｃｈ２＿１、Ｃｈ３＿０、Ｃｈ３＿１を選択して選択されたチャネル対を介してのみ入力信号を出力し、遅延信号を入力してｙ軸上での接触位置を検出する。
【０１７７】
図２８に示すタッチパネルの他の実施形態の第３の態様を備える入力装置の場合には、タッチセンサ部が選択されたチャネルを介して一部の第２電極に入力信号を印加し、前記一部の第２電極を介して遅延された遅延信号のみを入力して接触位置を検出するために電力消耗を低減することができる。また、接触物体が大きい場合、または同時に多数の電極またはタッチパッドが接触された場合にも接触位置を正確に検出することができるという長所がある。
【０１７８】
図２５、図２７、図２８に示すタッチパネルの他の実施形態を用いる場合、それぞれのチャネルごとに、別途にタッチセンサを備えるように構成することもでき、複数個のチャネルが１つのタッチセンサに接続されるように構成することもできる。またそれぞれのタッチセンサは図２６に示した構成を有することができる。
【０１７９】
したがって、本発明のタッチパネルを備える入力装置は、より少ない数のチャネルとタッチセンサを用いて接触物体の接触位置を把握することができる。
【０１８０】
上述では、本発明の好ましい実施形態を参照して説明したが、当該技術分野の熟練した当業者は、添付の特許請求範囲に記載された本発明の思想及び領域から逸脱しない範囲で、本発明を多様に修正及び変更させることができる。
【符号の説明】
【０１８１】
１００      タッチパネル
２０１      タッチセンサ部
２１０      第１タッチセンサ部
２２０      第２タッチセンサ部
２１３      第１基準信号発生部
２２３      第２基準信号発生部
３００      計算部
ｒｅｆ１      第１基準信号
ｒｅｆ２      第２基準信号
Ｇ１〜Ｇ６      タッチパッドグループ
（Ｐ１１〜Ｐ１６）、（Ｐ２１〜Ｐ２６）、・・・、（Ｐ６１〜Ｐ６６）      タッチパッド
【図１】
2012508415.tif 000003
【図２】
2012508415.tif 000004
【図３】
2012508415.tif 000005
【図４】
2012508415.tif 000006
【図５】
2012508415.tif 000007
【図６】
2012508415.tif 000008
【図７】
2012508415.tif 000009
【図８】
2012508415.tif 000010
【図９】
2012508415.tif 000011
【図１０】
2012508415.tif 000012
【図１１】
2012508415.tif 000013
【図１２】
2012508415.tif 000014
【図１３】
2012508415.tif 000015
【図１４】
2012508415.tif 000016
【図１５】
2012508415.tif 000017
【図１６】
2012508415.tif 000018
【図１７】
2012508415.tif 000019
【図１８】
2012508415.tif 000020
【図１９】
2012508415.tif 000021
【図２０】
2012508415.tif 000022
【図２１】
2012508415.tif 000023
【図２２】
2012508415.tif 000024
【図２３】
2012508415.tif 000025
【図２４】
2012508415.tif 000026
【図２５】
2012508415.tif 000027
【図２６】
2012508415.tif 000028
【図２７】
2012508415.tif 000029
【図２８】
2012508415.tif 000030
【国際調査報告】
2012508415.tif 000031
2012508415.tif 000032
2012508415.tif 000033
2012508415.tif 000034